(57)【要約】  第１正レンズ群と第２負レンズ群と後続レンズ群とからなり、開口絞りを備え、第１レンズ群は、ズーミングの際に光軸に沿って移動し、フォーカシングの際に像面に対して固定で、条件：ＢＦ／ｆＷ＜０．６６、ＤＡ／ＬＷ＞０．４２及びＤＡＩＲ／Ｙ＜２．００（ＢＦ：最像側に配置されたレンズ素子の像側面の面頂から像面までの距離、ｆＷ：広角端における全系の焦点距離、ＤＡ：全系における各レンズ群の光軸上での厚みの和、ＬＷ：広角端におけるレンズ全長、ＤＡＩＲ：広角端におけるレンズ系を構成するレンズ素子間の空気間隔のうち最大値、Ｙ＝ｆＴ×ｔａｎ（ωＴ））、ｆＴ：望遠端における全系の焦点距離、ωＴ：望遠端における最大画角の半値（°））を満足するズームレンズ系。
2014129170.tif 000002
【特許請求の範囲】
【請求項１】
少なくとも１枚のレンズ素子で構成されたレンズ群を有するズームレンズ系であって、
物体側から像側へと順に、
最物体側に配置された、正のパワーを有する第１レンズ群と、
負のパワーを有する第２レンズ群と、
後続レンズ群とからなり、
開口絞りを備え、
前記第１レンズ群は、撮像時の広角端から望遠端へのズーミングの際に光軸に沿って移動し、無限遠合焦状態から近接物体合焦状態へのフォーカシングの際に像面に対して固定であり、
以下の条件（１）、（２）及び（３）を満足する、ズームズームレンズ系：
ＢＦ／ｆＷ＜０．６６  ・・・（１）
ＤＡ／ＬＷ＞０．４２  ・・・（２）
ＤＡＩＲ／Ｙ＜２．００  ・・・（３）
ここで、
ＢＦ：最像側に配置されたレンズ素子の像側面の面頂から像面までの距離、
ｆＷ：広角端における全系の焦点距離、
ＤＡ：全系における各レンズ群の光軸上での厚みの和、
ＬＷ：広角端におけるレンズ全長（広角端における、最物体側に配置されたレンズ素子の物体側面から像面までの光軸上の距離）、
ＤＡＩＲ：広角端におけるレンズ系を構成するレンズ素子間の空気間隔のうち最大値、
Ｙ：最大像高（Ｙ＝ｆＴ×ｔａｎ（ωＴ））、
ｆＴ：望遠端における全系の焦点距離、
ωＴ：望遠端における最大画角の半値（°）
である。
【請求項２】
以下の条件（４）を満足する、請求項１に記載のズームレンズ系：
１．０＜ｆ１／ｆＷ＜６．０  ・・・（４）
ここで、
ｆ１：第１レンズ群の焦点距離、
ｆＷ：広角端における全系の焦点距離
である。
【請求項３】
以下の条件（５）を満足する、請求項１に記載のズームレンズ系：
−０．６０＜ｆ２／ｆ１＜−０．２０  ・・・（５）
ここで、
ｆ１：第１レンズ群の焦点距離、
ｆ２：第２レンズ群の焦点距離
である。
【請求項４】
以下の条件（６）を満足する、請求項１に記載のズームレンズ系：
０．４０＜｜ｆ３／ｆ２｜＜１．５５  ・・・（６）
ここで、
ｆ２：第２レンズ群の焦点距離、
ｆ３：後続レンズ群のうち最物体側に配置されたレンズ群の焦点距離
である。
【請求項５】
以下の条件（７）を満足する、請求項１に記載のズームレンズ系：
１．１＜ＬＴ／ＬＷ＜１．８  ・・・（７）
ここで、
ＬＷ：広角端におけるレンズ全長（広角端における、最物体側に配置されたレンズ素子の物体側面から像面までの光軸上の距離）、
ＬＴ：望遠端におけるレンズ全長（望遠端における、最物体側に配置されたレンズ素子の物体側面から像面までの光軸上の距離）
である。
【請求項６】
第１レンズ群の中で最像側に配置されたレンズ素子は、以下の条件（８）を満足する、請求項１に記載のズームレンズ系：
６５．０＜νｄ１  ・・・（８）
ここで、
νｄ１：第１レンズ群の中で最像側に配置されたレンズ素子の、ｄ線に対するアッベ数
である。
【請求項７】
開口絞りは、第２レンズ群又は後続レンズ群に配置されており、
前記開口絞りよりも像側に配置されたレンズ群のうち少なくとも１つのレンズ群は、無限遠合焦状態から近接物体合焦状態へのフォーカシングの際に光軸に沿って移動するフォーカシングレンズ群である、請求項１に記載のズームレンズ系。
【請求項８】
開口絞りは、第２レンズ群又は後続レンズ群に配置されており、
前記開口絞りよりも像側に配置されたレンズ群のうち少なくとも１つのレンズ群は、撮像時の広角端から望遠端へのズーミングの際に光軸に沿って移動する、請求項１に記載のズームレンズ系。
【請求項９】
後続レンズ群のうち最像側に配置されたレンズ群は、撮像時の広角端から望遠端へのズーミングの際に光軸に沿って移動する、請求項１に記載のズームレンズ系。
【請求項１０】
第２レンズ群の一部及び後続レンズ群のうち２つは、無限遠合焦状態から近接物体合焦状態へのフォーカシングの際に光軸に沿って移動するフォーカシングレンズ群である、請求項１に記載のズームレンズ系。
【請求項１１】
無限遠合焦状態から近接物体合焦状態へのフォーカシングの際に光軸に沿って移動するフォーカシングレンズ群は、１枚のレンズ素子で構成される、請求項１に記載のズームレンズ系。
【請求項１２】
第１レンズ群は、３枚以下のレンズ素子で構成される、請求項１に記載のズームレンズ系。
【請求項１３】
像のぶれを光学的に補正するために光軸に対して垂直方向に移動する像ぶれ補正レンズ群は、第２レンズ群又は後続レンズ群に配置されており、負のパワーを有する、請求項１に記載のズームレンズ系。
【請求項１４】
開口絞りは、第２レンズ群に配置されている、請求項１に記載のズームレンズ系。
【請求項１５】
請求項１に記載のズームレンズ系と、
前記ズームレンズ系が形成する光学像を受光して電気的な画像信号に変換する撮像素子を含むカメラ本体との接続が可能なレンズマウント部と
を備える、交換レンズ装置。
【請求項１６】
請求項１に記載のズームレンズ系を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体と
を備える、カメラシステム。
【発明の詳細な説明】
【技術分野】
【０００１】
本開示は、ズームレンズ系、交換レンズ装置及びカメラシステムに関する。
【背景技術】
【０００２】
レンズ交換式デジタルカメラシステム（以下、単に「カメラシステム」ともいう）は、高感度で高画質な画像を撮影することができ、フォーカシングや撮影後の画像処理が高速で、撮りたい場面に合わせて手軽に交換レンズ装置を取り替えることができる等の利点があり、近年急速に普及している。また光学像を変倍可能に形成するズームレンズ系を備えた交換レンズ装置は、焦点距離を自在に変化させることができる点で人気がある。【０００３】
特許文献１は、正負正負正負の６群構成で、第３レンズ群でフォーカシングを行う、インナーフォーカスタイプのズームレンズ系を開示している。【０００４】
特許文献２は、正負正負負正の６群構成で、複数のレンズ群でフォーカシングを行う、インナーフォーカスタイプのズームレンズ系を開示している。
【先行技術文献】
【特許文献】
【０００５】
【特許文献１】特開２０１１−０９０１８６号公報
【特許文献２】特開２０１２−０４７８１４号公報
【発明の概要】
【発明が解決しようとする課題】
【０００６】
本開示は、小型で、色収差が充分に補正され、高い光学性能を有するズームレンズ系を提供する。また本開示は、該ズームレンズ系を含む交換レンズ装置及びカメラシステムを提供する。
【課題を解決するための手段】
【０００７】
本開示におけるズームレンズ系は、
少なくとも１枚のレンズ素子で構成されたレンズ群を有し、
物体側から像側へと順に、
最物体側に配置された、正のパワーを有する第１レンズ群と、
負のパワーを有する第２レンズ群と、
後続レンズ群とからなり、
開口絞りを備え、
前記第１レンズ群は、撮像時の広角端から望遠端へのズーミングの際に光軸に沿って移動し、無限遠合焦状態から近接物体合焦状態へのフォーカシングの際に像面に対して固定であり、
以下の条件（１）、（２）及び（３）：
ＢＦ／ｆＷ＜０．６６  ・・・（１）
ＤＡ／ＬＷ＞０．４２  ・・・（２）
ＤＡＩＲ／Ｙ＜２．００  ・・・（３）
（ここで、
ＢＦ：最像側に配置されたレンズ素子の像側面の面頂から像面までの距離、
ｆＷ：広角端における全系の焦点距離、
ＤＡ：全系における各レンズ群の光軸上での厚みの和、
ＬＷ：広角端におけるレンズ全長（広角端における、最物体側に配置されたレンズ素子の物体側面から像面までの光軸上の距離）、
ＤＡＩＲ：広角端におけるレンズ系を構成するレンズ素子間の空気間隔のうち最大値、
Ｙ：最大像高（Ｙ＝ｆＴ×ｔａｎ（ωＴ））、
ｆＴ：望遠端における全系の焦点距離、
ωＴ：望遠端における最大画角の半値（°）
である）
を満足する
ことを特徴とする。【０００８】
本開示における交換レンズ装置は、
少なくとも１枚のレンズ素子で構成されたレンズ群を有し、
物体側から像側へと順に、
最物体側に配置された、正のパワーを有する第１レンズ群と、
負のパワーを有する第２レンズ群と、
後続レンズ群とからなり、
開口絞りを備え、
前記第１レンズ群は、撮像時の広角端から望遠端へのズーミングの際に光軸に沿って移動し、無限遠合焦状態から近接物体合焦状態へのフォーカシングの際に像面に対して固定であり、
以下の条件（１）、（２）及び（３）：
ＢＦ／ｆＷ＜０．６６  ・・・（１）
ＤＡ／ＬＷ＞０．４２  ・・・（２）
ＤＡＩＲ／Ｙ＜２．００  ・・・（３）
（ここで、
ＢＦ：最像側に配置されたレンズ素子の像側面の面頂から像面までの距離、
ｆＷ：広角端における全系の焦点距離、
ＤＡ：全系における各レンズ群の光軸上での厚みの和、
ＬＷ：広角端におけるレンズ全長（広角端における、最物体側に配置されたレンズ素子の物体側面から像面までの光軸上の距離）、
ＤＡＩＲ：広角端におけるレンズ系を構成するレンズ素子間の空気間隔のうち最大値、
Ｙ：最大像高（Ｙ＝ｆＴ×ｔａｎ（ωＴ））、
ｆＴ：望遠端における全系の焦点距離、
ωＴ：望遠端における最大画角の半値（°）
である）
を満足するズームレンズ系と、
前記ズームレンズ系が形成する光学像を受光して電気的な画像信号に変換する撮像素子を含むカメラ本体との接続が可能なレンズマウント部と
を備える
ことを特徴とする。【０００９】
本開示におけるカメラシステムは、
少なくとも１枚のレンズ素子で構成されたレンズ群を有し、
物体側から像側へと順に、
最物体側に配置された、正のパワーを有する第１レンズ群と、
負のパワーを有する第２レンズ群と、
後続レンズ群とからなり、
開口絞りを備え、
前記第１レンズ群は、撮像時の広角端から望遠端へのズーミングの際に光軸に沿って移動し、無限遠合焦状態から近接物体合焦状態へのフォーカシングの際に像面に対して固定であり、
以下の条件（１）、（２）及び（３）：
ＢＦ／ｆＷ＜０．６６  ・・・（１）
ＤＡ／ＬＷ＞０．４２  ・・・（２）
ＤＡＩＲ／Ｙ＜２．００  ・・・（３）
（ここで、
ＢＦ：最像側に配置されたレンズ素子の像側面の面頂から像面までの距離、
ｆＷ：広角端における全系の焦点距離、
ＤＡ：全系における各レンズ群の光軸上での厚みの和、
ＬＷ：広角端におけるレンズ全長（広角端における、最物体側に配置されたレンズ素子の物体側面から像面までの光軸上の距離）、
ＤＡＩＲ：広角端におけるレンズ系を構成するレンズ素子間の空気間隔のうち最大値、
Ｙ：最大像高（Ｙ＝ｆＴ×ｔａｎ（ωＴ））、
ｆＴ：望遠端における全系の焦点距離、
ωＴ：望遠端における最大画角の半値（°）
である）
を満足するズームレンズ系、を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体と
を備える
ことを特徴とする。
【発明の効果】
【００１０】
本開示におけるズームレンズ系は、小型で、色収差が充分に補正され、高い光学性能を有する。
【図面の簡単な説明】
【００１１】
【図１】図１は、実施の形態１（数値実施例１）に係るズームレンズ系の無限遠合焦状態を示すレンズ配置図である。
【図２】図２は、数値実施例１に係るズームレンズ系の無限遠合焦状態の縦収差図である。
【図３】図３は、数値実施例１に係るズームレンズ系の望遠端における、像ぶれ補正を行っていない基本状態及び像ぶれ補正状態での横収差図である。
【図４】図４は、実施の形態２（数値実施例２）に係るズームレンズ系の無限遠合焦状態を示すレンズ配置図である。
【図５】図５は、数値実施例２に係るズームレンズ系の無限遠合焦状態の縦収差図である。
【図６】図６は、数値実施例２に係るズームレンズ系の望遠端における、像ぶれ補正を行っていない基本状態及び像ぶれ補正状態での横収差図である。
【図７】図７は、実施の形態３（数値実施例３）に係るズームレンズ系の無限遠合焦状態を示すレンズ配置図である。
【図８】図８は、数値実施例３に係るズームレンズ系の無限遠合焦状態の縦収差図である。
【図９】図９は、数値実施例３に係るズームレンズ系の望遠端における、像ぶれ補正を行っていない基本状態及び像ぶれ補正状態での横収差図である。
【図１０】図１０は、実施の形態４（数値実施例４）に係るズームレンズ系の無限遠合焦状態を示すレンズ配置図である。
【図１１】図１１は、数値実施例４に係るズームレンズ系の無限遠合焦状態の縦収差図である。
【図１２】図１２は、数値実施例４に係るズームレンズ系の望遠端における、像ぶれ補正を行っていない基本状態及び像ぶれ補正状態での横収差図である。
【図１３】図１３は、実施の形態５（数値実施例５）に係るズームレンズ系の無限遠合焦状態を示すレンズ配置図である。
【図１４】図１４は、数値実施例５に係るズームレンズ系の無限遠合焦状態の縦収差図である。
【図１５】図１５は、数値実施例５に係るズームレンズ系の望遠端における、像ぶれ補正を行っていない基本状態及び像ぶれ補正状態での横収差図である。
【図１６】図１６は、実施の形態６（数値実施例６）に係るズームレンズ系の無限遠合焦状態を示すレンズ配置図である。
【図１７】図１７は、数値実施例６に係るズームレンズ系の無限遠合焦状態の縦収差図である。
【図１８】図１８は、数値実施例６に係るズームレンズ系の望遠端における、像ぶれ補正を行っていない基本状態及び像ぶれ補正状態での横収差図である。
【図１９】図１９は、実施の形態７に係るレンズ交換式デジタルカメラシステムの概略構成図である。
【発明を実施するための形態】
【００１２】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、発明者らは、当業者が本開示を充分に理解するために添付図面および以下の説明を提供するのであって、これらによって請求の範囲に記載の主題を限定することを意図するものではない。
【００１４】
（実施の形態１〜６）
図１、４、７、１０、１３及び１６は、各々実施の形態１〜６に係るズームレンズ系のレンズ配置図であり、いずれも無限遠合焦状態にあるズームレンズ系を表している。
【００１５】
各図において、（ａ）図は広角端（最短焦点距離状態：焦点距離ｆＷ）のレンズ構成、（ｂ）図は中間位置（中間焦点距離状態：焦点距離ｆＭ＝√（ｆＷ＊ｆＴ））のレンズ構成、（ｃ）図は望遠端（最長焦点距離状態：焦点距離ｆＴ）のレンズ構成をそれぞれ表している。各図において、（ａ）図と（ｂ）図との間に設けられた直線若しくは曲線の矢印は、広角端から中間位置を経由して望遠端への、各レンズ群の動きを示す。広角端と中間位置との間、中間位置と望遠端との間は、単純に直線で接続されているだけであり、実際の各レンズ群の動きとは異なる。
【００１６】
さらに各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【００１７】
実施の形態１〜６に係るズームレンズ系は、物体側から像側へと順に、正のパワーを有する第１レンズ群Ｇ１と、負のパワーを有する第２レンズ群Ｇ２と、後続レンズ群ＧＲとを備え、撮像時の広角端から望遠端へのズーミングの際に、第１レンズ群Ｇ１と第２レンズ群Ｇ２との間隔が変化するように、第１レンズ群Ｇ１及び第２レンズ群Ｇ２が光軸に沿った方向にそれぞれ移動する。各実施の形態に係るズームレンズ系は、これら各レンズ群を所望のパワー配置にすることにより、高い光学性能を保持しつつ、レンズ系全体の小型化を可能にしている。
【００１８】
なお図１、４、７、１０、１３及び１６において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表している。
【００１９】
（実施の形態１）
図１に示すように、実施の形態１に係るズームレンズ系は、物体側から像側へと順に、正のパワーを有する第１レンズ群Ｇ１、負のパワーを有する第２レンズ群Ｇ２、正のパワーを有する第３レンズ群Ｇ３、負のパワーを有する第４レンズ群Ｇ４、負のパワーを有する第５レンズ群Ｇ５、正のパワーを有する第６レンズ群Ｇ６、及び負のパワーを有する第７レンズ群Ｇ７からなる。
【００２０】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と、第２レンズ素子Ｌ２とが接合されている。
【００２１】
第２レンズ群Ｇ２は、物体側から像側へと順に、物体側に凸面を向けた負メニスカス形状の第４レンズ素子Ｌ４と、両凹形状の第５レンズ素子Ｌ５と、物体側に凸面を向けた正メニスカス形状の第６レンズ素子Ｌ６と、開口絞りＡとからなる。これらのうち、第５レンズ素子Ｌ５と、第６レンズ素子Ｌ６とが接合されている。
【００２２】
第３レンズ群Ｇ３は、物体側から像側へと順に、両凸形状の第７レンズ素子Ｌ７と、両凸形状の第８レンズ素子Ｌ８と、両凹形状の第９レンズ素子Ｌ９とからなる。これらのうち、第８レンズ素子Ｌ８と、第９レンズ素子Ｌ９とが接合されている。
【００２３】
第４レンズ群Ｇ４は、物体側に凸面を向けた負メニスカス形状の第１１レンズ素子Ｌ１１のみからなる。
【００２４】
第５レンズ群Ｇ５は、物体側から像側へと順に、像側に凸面を向けた正メニスカス形状の第１１レンズ素子Ｌ１１と、両凹形状の第１２レンズ素子Ｌ１２と、物体側に凸面を向けた負メニスカス形状の第１３レンズ素子Ｌ１３と、両凸形状の第１４レンズ素子Ｌ１４とからなる。これらのうち、第１１レンズ素子Ｌ１１と、第１２レンズ素子Ｌ１２とが接合されており、第１３レンズ素子Ｌ１３と、第１４レンズ素子Ｌ１４とが接合されている。
【００２５】
第６レンズ群Ｇ６は、両凸形状の第１５レンズ素子Ｌ１５のみからなる。
【００２６】
第７レンズ群Ｇ７は、物体側から像側へと順に、両凹形状の第１６レンズ素子Ｌ１６と、物体側に凸面を向けた正メニスカス形状の第１７レンズ素子Ｌ１７とからなる。第１６レンズ素子Ｌ１６と、第１７レンズ素子Ｌ１７とが接合されている。
【００２７】
実施の形態１に係るズームレンズ系において、撮像時の広角端から望遠端へのズーミングの際に、第１レンズ群Ｇ１、第２レンズ群Ｇ２、第３レンズ群Ｇ３、第４レンズ群Ｇ４、第５レンズ群Ｇ５及び第７レンズ群Ｇ７は、単調に物体側へ移動し、第６レンズ群Ｇ６は、物体側に凸の軌跡を描いて移動する。
【００２８】
実施の形態１に係るズームレンズ系において、無限遠合焦状態から近接物体合焦状態へのフォーカシングの際に、第４レンズ群Ｇ４が光軸に沿って像側へ移動すると共に、第６レンズ群Ｇ６が光軸に沿って物体側へ移動する。
【００２９】
実施の形態１に係るズームレンズ系において、第２レンズ群Ｇ２が、像のぶれを光学的に補正するために光軸に対して垂直方向に移動する像ぶれ補正レンズ群である。
【００３０】
（実施の形態２）
図４に示すように、実施の形態２に係るズームレンズ系は、物体側から像側へと順に、正のパワーを有する第１レンズ群Ｇ１、負のパワーを有する第２レンズ群Ｇ２、正のパワーを有する第３レンズ群Ｇ３、負のパワーを有する第４レンズ群Ｇ４、負のパワーを有する第５レンズ群Ｇ５、正のパワーを有する第６レンズ群Ｇ６、負のパワーを有する第７レンズ群Ｇ７、及び正のパワーを有する第８レンズ群Ｇ８からなる。
【００３１】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と、第２レンズ素子Ｌ２とが接合されている。
【００３２】
第２レンズ群Ｇ２は、物体側から像側へと順に、両凹形状の第４レンズ素子Ｌ４と、両凹形状の第５レンズ素子Ｌ５と、物体側に凸面を向けた正メニスカス形状の第６レンズ素子Ｌ６と、開口絞りＡと、物体側に凸面を向けた正メニスカス形状の第７レンズ素子Ｌ７とからなる。これらのうち、第５レンズ素子Ｌ５と、第６レンズ素子Ｌ６とが接合されている。
【００３３】
第３レンズ群Ｇ３は、物体側から像側へと順に、両凸形状の第８レンズ素子Ｌ８と、像側に凸面を向けた負メニスカス形状の第９レンズ素子Ｌ９と、両凸形状の第１０レンズ素子Ｌ１０と、両凸形状の第１１レンズ素子Ｌ１１と、像側に凸面を向けた負メニスカス形状の第１２レンズ素子Ｌ１２とからなる。これらのうち、第８レンズ素子Ｌ８と、第９レンズ素子Ｌ９とが接合されており、第１１レンズ素子Ｌ１１と、第１２レンズ素子Ｌ１２とが接合されている。また、第８レンズ素子Ｌ８は、その物体側面が非球面である。
【００３４】
第４レンズ群Ｇ４は、物体側に凸面を向けた負メニスカス形状の第１３レンズ素子Ｌ１３のみからなる。
【００３５】
第５レンズ群Ｇ５は、物体側から像側へと順に、両凸形状の第１４レンズ素子Ｌ１４と、両凹形状の第１５レンズ素子Ｌ１５と、両凹形状の第１６レンズ素子Ｌ１６と、像側に凸面を向けた正メニスカス形状の第１７レンズ素子Ｌ１７とからなる。これらのうち、第１４レンズ素子Ｌ１４と、第１５レンズ素子Ｌ１５とが接合されている。
【００３６】
第６レンズ群Ｇ６は、両凸形状の第１８レンズ素子Ｌ１８のみからなる。
【００３７】
第７レンズ群Ｇ７は、両凹形状の第１９レンズ素子Ｌ１９のみからなる。
【００３８】
第８レンズ群Ｇ８は、物体側に凸面を向けた正メニスカス形状の第２０レンズ素子Ｌ２０のみからなる。
【００３９】
実施の形態２に係るズームレンズ系において、撮像時の広角端から望遠端へのズーミングの際に、第１レンズ群Ｇ１、第３レンズ群Ｇ３、第４レンズ群Ｇ４、第５レンズ群Ｇ５、第６レンズ群Ｇ６、第７レンズ群Ｇ７及び第８レンズ群Ｇ８は、単調に物体側へ移動し、第２レンズ群Ｇ２は、像面Ｓに対して固定されている。
【００４０】
実施の形態２に係るズームレンズ系において、無限遠合焦状態から近接物体合焦状態へのフォーカシングの際に、第４レンズ群Ｇ４が光軸に沿って像側へ移動すると共に、第７レンズ群Ｇ７が光軸に沿って物体側へ移動する。
【００４１】
実施の形態２に係るズームレンズ系において、第２レンズ群Ｇ２の一部である、第４レンズ素子Ｌ４、第５レンズ素子Ｌ５及び第６レンズ素子Ｌ６が、像のぶれを光学的に補正するために光軸に対して垂直方向に移動する像ぶれ補正レンズ群である。
【００４２】
（実施の形態３）
図７に示すように、実施の形態３に係るズームレンズ系は、物体側から像側へと順に、正のパワーを有する第１レンズ群Ｇ１、負のパワーを有する第２レンズ群Ｇ２、正のパワーを有する第３レンズ群Ｇ３、正のパワーを有する第４レンズ群Ｇ４、負のパワーを有する第５レンズ群Ｇ５、正のパワーを有する第６レンズ群Ｇ６、負のパワーを有する第７レンズ群Ｇ７、及び正のパワーを有する第８レンズ群Ｇ８からなる。
【００４３】
第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と、第２レンズ素子Ｌ２とが接合されている。
【００４４】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、開口絞りＡと、両凹形状の第７レンズ素子Ｌ７とからなる。これらのうち、第５レンズ素子Ｌ５と、第６レンズ素子Ｌ６とが接合されている。
【００４５】
第３レンズ群Ｇ３は、物体側から像側へと順に、物体側に凸面を向けた負メニスカス形状の第８レンズ素子Ｌ８と、両凸形状の第９レンズ素子Ｌ９と、両凸形状の第１０レンズ素子Ｌ１０とからなる。これらのうち、第８レンズ素子Ｌ８と、第９レンズ素子Ｌ９とが接合されている。
【００４６】
第４レンズ群Ｇ４は、物体側から像側へと順に、像側に凸面を向けた正メニスカス形状の第１１レンズ素子Ｌ１１と、両凸形状の第１２レンズ素子Ｌ１２と、像側に凸面を向けた負メニスカス形状の第１３レンズ素子Ｌ１３とからなる。これらのうち、第１２レンズ素子Ｌ１２と、第１３レンズ素子Ｌ１３とが接合されている。
【００４７】
第５レンズ群Ｇ５は、物体側から像側へと順に、像側に凸面を向けた正メニスカス形状の第１４レンズ素子Ｌ１４と、両凹形状の第１５レンズ素子Ｌ１５とからなる。第１４レンズ素子Ｌ１４と、第１５レンズ素子Ｌ１５とが接合されている。
【００４８】
第６レンズ群Ｇ６は、両凸形状の第１６レンズ素子Ｌ１６のみからなる。
【００４９】
第７レンズ群Ｇ７は、両凹形状の第１７レンズ素子Ｌ１７のみからなる。
【００５０】
第８レンズ群Ｇ８は、物体側に凸面を向けた正メニスカス形状の第１８レンズ素子Ｌ１８のみからなる。
【００５１】
実施の形態３に係るズームレンズ系において、撮像時の広角端から望遠端へのズーミングの際に、第１レンズ群Ｇ１、第３レンズ群Ｇ３、第４レンズ群Ｇ４、第５レンズ群Ｇ５、第６レンズ群Ｇ６、及び第７レンズ群Ｇ７は、単調に物体側へ移動し、第２レンズ群Ｇ２は、単調に像側へ移動し、第８レンズ群Ｇ８は、物体側に凸の軌跡を描いて移動する。
【００５２】
実施の形態３に係るズームレンズ系において、無限遠合焦状態から近接物体合焦状態へのフォーカシングの際に、第２レンズ群Ｇ２の一部である第７レンズ素子Ｌ７が光軸に沿って物体側へ移動すると共に、第６レンズ群Ｇ６が光軸に沿って物体側へ移動する。
【００５３】
実施の形態３に係るズームレンズ系において、第５レンズ群Ｇ５が、像のぶれを光学的に補正するために光軸に対して垂直方向に移動する像ぶれ補正レンズ群である。
【００５４】
（実施の形態４）
図１０に示すように、実施の形態４に係るズームレンズ系は、物体側から像側へと順に、正のパワーを有する第１レンズ群Ｇ１、負のパワーを有する第２レンズ群Ｇ２、正のパワーを有する第３レンズ群Ｇ３、負のパワーを有する第４レンズ群Ｇ４、負のパワーを有する第５レンズ群Ｇ５、正のパワーを有する第６レンズ群Ｇ６、負のパワーを有する第７レンズ群Ｇ７、及び正のパワーを有する第８レンズ群Ｇ８からなる。
【００５５】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と、第２レンズ素子Ｌ２とが接合されている。
【００５６】
第２レンズ群Ｇ２は、物体側から像側へと順に、物体側に凸面を向けた負メニスカス形状の第４レンズ素子Ｌ４と、両凹形状の第５レンズ素子Ｌ５と、物体側に凸面を向けた正メニスカス形状の第６レンズ素子Ｌ６と、開口絞りＡと、物体側に凸面を向けた正メニスカス形状の第７レンズ素子Ｌ７とからなる。これらのうち、第５レンズ素子Ｌ５と、第６レンズ素子Ｌ６とが接合されている。
【００５７】
第３レンズ群Ｇ３は、物体側から像側へと順に、両凸形状の第８レンズ素子Ｌ８と、像側に凸面を向けた負メニスカス形状の第９レンズ素子Ｌ９と、両凸形状の第１０レンズ素子Ｌ１０と、両凸形状の第１１レンズ素子Ｌ１１と、像側に凸面を向けた負メニスカス形状の第１２レンズ素子Ｌ１２とからなる。これらのうち、第８レンズ素子Ｌ８と、第９レンズ素子Ｌ９とが接合されており、第１１レンズ素子Ｌ１１と、第１２レンズ素子Ｌ１２とが接合されている。また、第８レンズ素子Ｌ８は、その物体側面が非球面である。
【００５８】
第４レンズ群Ｇ４は、物体側に凸面を向けた負メニスカス形状の第１３レンズ素子Ｌ１３のみからなる。
【００５９】
第５レンズ群Ｇ５は、物体側から像側へと順に、両凸形状の第１４レンズ素子Ｌ１４と、両凹形状の第１５レンズ素子Ｌ１５と、両凹形状の第１６レンズ素子Ｌ１６と、像側に凸面を向けた正メニスカス形状の第１７レンズ素子Ｌ１７とからなる。これらのうち、第１４レンズ素子Ｌ１４と、第１５レンズ素子Ｌ１５とが接合されている。
【００６０】
第６レンズ群Ｇ６は、両凸形状の第１８レンズ素子Ｌ１８のみからなる。
【００６１】
第７レンズ群Ｇ７は、両凹形状の第１９レンズ素子Ｌ１９のみからなる。
【００６２】
第８レンズ群Ｇ８は、物体側に凸面を向けた正メニスカス形状の第２０レンズ素子Ｌ２０のみからなる。
【００６３】
実施の形態４に係るズームレンズ系において、撮像時の広角端から望遠端へのズーミングの際に、第１レンズ群Ｇ１、第２レンズ群Ｇ２、第４レンズ群Ｇ４、第６レンズ群Ｇ６、第７レンズ群Ｇ７及び第８レンズ群Ｇ８は、単調に物体側へ移動し、第３レンズ群Ｇ３と第５レンズ群Ｇ５とは、一体となって単調に物体側へ移動する。
【００６４】
実施の形態４に係るズームレンズ系において、無限遠合焦状態から近接物体合焦状態へのフォーカシングの際に、第４レンズ群Ｇ４が光軸に沿って像側へ移動すると共に、第６レンズ群Ｇ６が光軸に沿って物体側へ移動する。
【００６５】
実施の形態４に係るズームレンズ系において、第２レンズ群Ｇ２の一部である、第４レンズ素子Ｌ４、第５レンズ素子Ｌ５及び第６レンズ素子Ｌ６が、像のぶれを光学的に補正するために光軸に対して垂直方向に移動する像ぶれ補正レンズ群である。
【００６６】
（実施の形態５）
図１３に示すように、実施の形態５に係るズームレンズ系は、物体側から像側へと順に、正のパワーを有する第１レンズ群Ｇ１、負のパワーを有する第２レンズ群Ｇ２、負のパワーを有する第３レンズ群Ｇ３、正のパワーを有する第４レンズ群Ｇ４、負のパワーを有する第５レンズ群Ｇ５、正のパワーを有する第６レンズ群Ｇ６、及び正のパワーを有する第７レンズ群Ｇ７からなる。
【００６７】
第１レンズ群Ｇ１は、物体側に凸面を向けた正メニスカス形状の第１レンズ素子Ｌ１のみからなる。
【００６８】
第２レンズ群Ｇ２は、物体側から像側へと順に、物体側に凸面を向けた負メニスカス形状の第２レンズ素子Ｌ２と、両凹形状の第３レンズ素子Ｌ３と、両凸形状の第４レンズ素子Ｌ４と、像側に凸面を向けた負メニスカス形状の第５レンズ素子Ｌ５とからなる。第３レンズ素子Ｌ３は、その両面が非球面である。
【００６９】
第３レンズ群Ｇ３は、像側に凸面を向けた負メニスカス形状の第６レンズ素子Ｌ６のみからなる。
【００７０】
第４レンズ群Ｇ４は、物体側から像側へと順に、両凸形状の第７レンズ素子Ｌ７と、像側に凸面を向けた負メニスカス形状の第８レンズ素子Ｌ８と、開口絞りＡと、両凹形状の第９レンズ素子Ｌ９と、両凸形状の第１０レンズ素子Ｌ１０と、両凹形状の第１１レンズ素子Ｌ１１と、両凸形状の第１２レンズ素子Ｌ１２とからなる。これらのうち、第７レンズ素子Ｌ７と、第８レンズ素子Ｌ８とが接合されており、第１０レンズ素子Ｌ１０と、第１１レンズ素子Ｌ１１とが接合されている。また、第９レンズ素子Ｌ９は、その両面が非球面であり、第１２レンズ素子Ｌ１２は、その両面が非球面である。
【００７１】
第５レンズ群Ｇ５は、物体側に凸面を向けた負メニスカス形状の第１３レンズ素子Ｌ１３のみからなる。
【００７２】
第６レンズ群Ｇ６は、物体側から像側へと順に、両凸形状の第１４レンズ素子Ｌ１４と、両凹形状の第１５レンズ素子Ｌ１５と、物体側に凸面を向けた正メニスカス形状の第１６レンズ素子Ｌ１６と、像側に凸面を向けた負メニスカス形状の第１７レンズ素子Ｌ１７とからなる。第１５レンズ素子Ｌ１５は、その両面が非球面である。
【００７３】
第７レンズ群Ｇ７は、両凸形状の第１８レンズ素子Ｌ１８のみからなる。
【００７４】
実施の形態５に係るズームレンズ系において、撮像時の広角端から望遠端へのズーミングの際に、第１レンズ群Ｇ１、第２レンズ群Ｇ２、第３レンズ群Ｇ３、第４レンズ群Ｇ４、第５レンズ群Ｇ５、第６レンズ群Ｇ６及び第７レンズ群Ｇ７は、単調に物体側へ移動する。
【００７５】
実施の形態５に係るズームレンズ系において、無限遠合焦状態から近接物体合焦状態へのフォーカシングの際に、第３レンズ群Ｇ３が光軸に沿って物体側へ移動すると共に、第５レンズ群Ｇ５が光軸に沿って像側へ移動する。
【００７６】
実施の形態５に係るズームレンズ系において、第４レンズ群Ｇ４の一部である第９レンズ素子Ｌ９が、像のぶれを光学的に補正するために光軸に対して垂直方向に移動する像ぶれ補正レンズ群である。
【００７７】
（実施の形態６）
図１６に示すように、実施の形態６に係るズームレンズ系は、物体側から像側へと順に、正のパワーを有する第１レンズ群Ｇ１、負のパワーを有する第２レンズ群Ｇ２、正のパワーを有する第３レンズ群Ｇ３、正のパワーを有する第４レンズ群Ｇ４、正のパワーを有する第５レンズ群Ｇ５、負のパワーを有する第６レンズ群Ｇ６、及び正のパワーを有する第７レンズ群Ｇ７からなる。
【００７８】
第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と、第２レンズ素子Ｌ２とが接合されている。
【００７９】
第２レンズ群Ｇ２は、物体側から像側へと順に、物体側に凸面を向けた負メニスカス形状の第４レンズ素子Ｌ４と、両凹形状の第５レンズ素子Ｌ５と、物体側に凸面を向けた正メニスカス形状の第６レンズ素子Ｌ６と、開口絞りＡとからなる。これらのうち、第５レンズ素子Ｌ５と、第６レンズ素子Ｌ６とが接合されている。
【００８０】
第３レンズ群Ｇ３は、物体側から像側へと順に、物体側に凸面を向けた負メニスカス形状の第７レンズ素子Ｌ７と、両凸形状の第８レンズ素子Ｌ８と、両凸形状の第９レンズ素子Ｌ９と、両凹形状の第１０レンズ素子Ｌ１０と、両凹形状の第１１レンズ素子Ｌ１１と、両凸形状の第１２レンズ素子Ｌ１２と、両凸形状の第１３レンズ素子Ｌ１３とからなる。これらのうち、第７レンズ素子Ｌ７と、第８レンズ素子Ｌ８とが接合されており、第９レンズ素子Ｌ９と、第１０レンズ素子Ｌ１０とが接合されている。
【００８１】
第４レンズ群Ｇ４は、物体側から像側へと順に、両凹形状の第１４レンズ素子Ｌ１４と、両凸形状の第１５レンズ素子Ｌ１５と、両凸形状の第１６レンズ素子Ｌ１６と、像側に凸面を向けた正メニスカス形状の第１７レンズ素子Ｌ１７と、両凹形状の第１８レンズ素子Ｌ１８とからなる。これらのうち、第１４レンズ素子Ｌ１４と、第１５レンズ素子Ｌ１５とが接合されており、第１７レンズ素子Ｌ１７と、第１８レンズ素子Ｌ１８とが接合されている。
【００８２】
第５レンズ群Ｇ５は、物体側に凸面を向けた正メニスカス形状の第１９レンズ素子Ｌ１９のみからなる。
【００８３】
第６レンズ群Ｇ６は、物体側から像側へと順に、像側に凸面を向けた正メニスカス形状の第２０レンズ素子Ｌ２０と、両凹形状の第２１レンズ素子Ｌ２１とからなる。
【００８４】
第７レンズ群Ｇ７は、両凸形状の第２２レンズ素子Ｌ２２のみからなる。
【００８５】
実施の形態６に係るズームレンズ系において、撮像時の広角端から望遠端へのズーミングの際に、第１レンズ群Ｇ１、第３レンズ群Ｇ３、第４レンズ群Ｇ４、第５レンズ群Ｇ５及び第６レンズ群Ｇ６は、単調に物体側へ移動し、第２レンズ群Ｇ２は、単調に像側へ移動し、第７レンズ群Ｇ７は、像面Ｓに対して固定されている。
【００８６】
実施の形態６に係るズームレンズ系において、無限遠合焦状態から近接物体合焦状態へのフォーカシングの際に、第５レンズ群Ｇ５が光軸に沿って物体側へ移動する。
【００８７】
実施の形態６に係るズームレンズ系において、第４レンズ群Ｇ４の一部である、第１７レンズ素子Ｌ１７及び第１８レンズ素子Ｌ１８が、像のぶれを光学的に補正するために光軸に対して垂直方向に移動する像ぶれ補正レンズ群である。
【００８８】
以下、例えば実施の形態１〜６に係るズームレンズ系のごときズームレンズ系が満足することが可能な条件を説明する。なお、各実施の形態に係るズームレンズ系に対して、複数の可能な条件が規定されるが、これら複数の条件すべてを満足するズームレンズ系の構成が最も効果的である。しかしながら、個別の条件を満足することにより、それぞれ対応する効果を奏するズームレンズ系を得ることも可能である。
【００８９】
例えば実施の形態１〜６に係るズームレンズ系のように、少なくとも１枚のレンズ素子で構成されたレンズ群を有し、物体側から像側へと順に、最物体側に配置された、正のパワーを有する第１レンズ群と、負のパワーを有する第２レンズ群と、後続レンズ群とからなり、開口絞りを備え、前記第１レンズ群は、撮像時の広角端から望遠端へのズーミングの際に光軸に沿って移動し、無限遠合焦状態から近接物体合焦状態へのフォーカシングの際に像面に対して固定である（以下、このレンズ構成を、実施の形態の基本構成という）ズームレンズ系は、以下の条件（１）、（２）及び（３）を満足する。
ＢＦ／ｆＷ＜０．６６  ・・・（１）
ＤＡ／ＬＷ＞０．４２  ・・・（２）
ＤＡＩＲ／Ｙ＜２．００  ・・・（３）
ここで、
ＢＦ：最像側に配置されたレンズ素子の像側面の面頂から像面までの距離、
ｆＷ：広角端における全系の焦点距離、
ＤＡ：全系における各レンズ群の光軸上での厚みの和、
ＬＷ：広角端におけるレンズ全長（広角端における、最物体側に配置されたレンズ素子の物体側面から像面までの光軸上の距離）、
ＤＡＩＲ：広角端におけるレンズ系を構成するレンズ素子間の空気間隔のうち最大値、
Ｙ：最大像高（Ｙ＝ｆＴ×ｔａｎ（ωＴ））、
ｆＴ：望遠端における全系の焦点距離、
ωＴ：望遠端における最大画角の半値（°）
である。
【００９０】
前記条件（１）は、バックフォーカスと広角端における全系の焦点距離との比を規定する条件である。条件（１）の上限を上回ると、バックフォーカスが長くなり、レンズ系の小型化が困難となる。
【００９１】
以下の条件（１）’を満足することにより、前記効果をさらに奏功させることができる。
ＢＦ／ｆＷ＜０．４５  ・・・（１）’
【００９２】
さらに以下の条件（１）’’を満足することにより、前記効果をより一層奏功させることができる。
ＢＦ／ｆＷ＜０．３０  ・・・（１）’’
【００９３】
前記条件（２）は、各レンズ群の光軸上での厚みの和と広角端におけるレンズ全長との比を規定する条件である。条件（２）の下限を下回ると、レンズ全長が長くなり、レンズ鏡筒の小型化が困難となる。
【００９４】
以下の条件（２）’を満足することにより、前記効果をさらに奏功させることができる。
ＤＡ／ＬＷ＞０．４５  ・・・（２）’
【００９５】
さらに以下の条件（２）’’を満足することにより、前記効果をより一層奏功させることができる。
ＤＡ／ＬＷ＞０．５０  ・・・（２）’’
【００９６】
前記条件（３）は、広角端におけるレンズ系を構成するレンズ素子間の最大空気間隔を規定する条件である。条件（３）の上限を上回ると、レンズ全長が長くなり、レンズ鏡筒の小型化が困難となる。
【００９７】
以下の条件（３）’を満足することにより、前記効果をさらに奏功させることができる。
ＤＡＩＲ／Ｙ＜１．６０  ・・・（３）’
【００９８】
さらに以下の条件（３）’’を満足することにより、前記効果をより一層奏功させることができる。
ＤＡＩＲ／Ｙ＜１．２０  ・・・（３）’’
【００９９】
例えば実施の形態１〜６に係るズームレンズ系のように、基本構成を有するズームレンズ系は、以下の条件（４）を満足することが有益である。
１．０＜ｆ１／ｆＷ＜６．０  ・・・（４）
ここで、
ｆ１：第１レンズ群の焦点距離、
ｆＷ：広角端における全系の焦点距離
である。
【０１００】
前記条件（４）は、第１レンズ群の焦点距離と広角端における全系の焦点距離との比を規定する条件である。条件（４）の下限を下回ると、第１レンズ群のパワーが強くなり、望遠端で発生する軸上色収差の補正が困難となる。条件（４）の上限を上回ると、広角端から望遠端へのズーミングにおける第１レンズ群の繰り出し量が増加するため、光学系が大型化してしまう。
【０１０１】
以下の条件（４−１）’及び（４−１）’’の少なくとも１つを満足することにより、前記効果をさらに奏功させることができる。
１．５＜ｆ１／ｆＷ  ・・・（４−１）’
ｆ１／ｆＷ＜４．５  ・・・（４−１）’’
【０１０２】
さらに以下の条件（４−２）’及び（４−２）’’の少なくとも１つを満足することにより、前記効果をより一層奏功させることができる。
１．９＜ｆ１／ｆＷ  ・・・（４−２）’
ｆ１／ｆＷ＜３．０  ・・・（４−２）’’
【０１０３】
例えば実施の形態１〜６に係るズームレンズ系のように、基本構成を有するズームレンズ系は、以下の条件（５）を満足することが有益である。
−０．６０＜ｆ２／ｆ１＜−０．２０  ・・・（５）
ここで、
ｆ１：第１レンズ群の焦点距離、
ｆ２：第２レンズ群の焦点距離
である。
【０１０４】
前記条件（５）は、第１レンズ群の焦点距離と第２レンズ群の焦点距離との比を規定する条件である。条件（５）の下限を下回ると、第１レンズ群のパワーが強くなり、望遠端で発生する軸上色収差の補正が困難となる。条件（５）の上限を上回ると、第２レンズ群のパワーが強くなり、像面湾曲の補正が困難となる。
【０１０５】
以下の条件（５−１）’及び（５−１）’’の少なくとも１つを満足することにより、前記効果をさらに奏功させることができる。
−０．５０＜ｆ２／ｆ１  ・・・（５−１）’
ｆ２／ｆ１＜−０．２５  ・・・（５−１）’’
【０１０６】
さらに以下の条件（５−２）’及び（５−２）’’の少なくとも１つを満足することにより、前記効果をより一層奏功させることができる。
−０．４５＜ｆ２／ｆ１  ・・・（５−２）’
ｆ２／ｆ１＜−０．３０  ・・・（５−２）’’
【０１０７】
例えば実施の形態１〜６に係るズームレンズ系のように、基本構成を有するズームレンズ系は、以下の条件（６）を満足することが有益である。
０．４０＜｜ｆ３／ｆ２｜＜１．５５  ・・・（６）
ここで、
ｆ２：第２レンズ群の焦点距離、
ｆ３：後続レンズ群のうち最物体側に配置されたレンズ群の焦点距離
である。
【０１０８】
前記条件（６）は、後続レンズ群のうち最物体側に配置されたレンズ群、すなわち第３レンズ群の焦点距離と第２レンズ群の焦点距離との比を規定する条件である。条件（６）の下限を下回ると、第３レンズ群のパワーが強くなり、球面収差の補正が困難となる。条件（６）の上限を上回ると、第２レンズ群のパワーが強くなり、像面湾曲の補正が困難となる。
【０１０９】
以下の条件（６）’及び（６）’’の少なくとも１つを満足することにより、前記効果をさらに奏功させることができる。
０．５０＜｜ｆ３／ｆ２｜  ・・・（６）’
｜ｆ３／ｆ２｜＜１．５０  ・・・（６）’’
【０１１０】
例えば実施の形態１〜６に係るズームレンズ系のように、基本構成を有するズームレンズ系は、以下の条件（７）を満足することが有益である。
１．１＜ＬＴ／ＬＷ＜１．８  ・・・（７）
ここで、
ＬＷ：広角端におけるレンズ全長（広角端における、最物体側に配置されたレンズ素子の物体側面から像面までの光軸上の距離）、
ＬＴ：望遠端におけるレンズ全長（望遠端における、最物体側に配置されたレンズ素子の物体側面から像面までの光軸上の距離）
である。
【０１１１】
前記条件（７）は、広角端から望遠端へのズーミングの際の、第１レンズ群の移動量に関する条件である。条件（７）の下限を下回ると、広角端におけるレンズ全長が長くなり、レンズ系が大型化してしまう。条件（７）の上限を上回ると、第１レンズ群の移動量が大きくなり、レンズ鏡筒の小型化が困難となる。
【０１１２】
以下の条件（７）’及び（７）’’の少なくとも１つを満足することにより、前記効果をさらに奏功させることができる。
１．２＜ＬＴ／ＬＷ  ・・・（７）’
ＬＴ／ＬＷ＜１．６  ・・・（７）’’
【０１１３】
例えば実施の形態１〜６に係るズームレンズ系のように、基本構成を有するズームレンズ系において、第１レンズ群の中で最像側に配置されたレンズ素子は、以下の条件（８）を満足することが有益である。
６５．０＜νｄ１  ・・・（８）
ここで、
νｄ１：第１レンズ群の中で最像側に配置されたレンズ素子の、ｄ線に対するアッベ数
である。
【０１１４】
前記条件（８）は、第１レンズ群の中で最像側に配置されたレンズ素子のアッベ数を規定する条件である。条件（８）の下限を下回ると、望遠端で発生する軸上色収差の補正が困難となる。
【０１１５】
以下の条件（８）’を満足することにより、前記効果をさらに奏功させることができる。
６６．０＜νｄ１  ・・・（８）’
【０１１６】
本開示におけるズームレンズ系では、開口絞りが、第２レンズ群又は後続レンズ群に配置されており、該開口絞りよりも像側に配置されたレンズ群のうち少なくとも１つのレンズ群が、無限遠合焦状態から近接物体合焦状態へのフォーカシングの際に光軸に沿って移動するフォーカシングレンズ群であることが有益である。これにより、フォーカシングレンズ群の小径化及び軽量化が達成され、レンズ鏡筒の小型化が実現される。
【０１１７】
本開示におけるズームレンズ系では、開口絞りが、第２レンズ群又は後続レンズ群に配置されており、該開口絞りよりも像側に配置されたレンズ群のうち少なくとも１つのレンズ群が、撮像時の広角端から望遠端へのズーミングの際に光軸に沿って移動することが有益である。これにより、開口絞りよりも物体側に配置されたレンズ群のパワーを弱め、望遠端における軸上色収差を良好に補正することができる。
【０１１８】
本開示におけるズームレンズ系では、後続レンズ群のうち最像側に配置されたレンズ群が、撮像時の広角端から望遠端へのズーミングの際に光軸に沿って移動することが有益である。これにより、後続レンズ群のうち最像側に配置されたレンズ群の小径化が可能となる。
【０１１９】
本開示におけるズームレンズ系では、第２レンズ群の一部及び後続レンズ群のうち２つが、無限遠合焦状態から近接物体合焦状態へのフォーカシングの際に光軸に沿って移動するフォーカシングレンズ群であることが有益である。これにより、フォーカシングにおける収差変動を小さくすることができる。
【０１２０】
本開示におけるズームレンズ系では、無限遠合焦状態から近接物体合焦状態へのフォーカシングの際に光軸に沿って移動するフォーカシングレンズ群が、１枚のレンズ素子で構成されることが有益である。これにより、フォーカシングレンズ群の軽量化が可能となる。
【０１２１】
本開示におけるズームレンズ系では、第１レンズ群が３枚以下のレンズ素子で構成されることが有益である。これにより、第１レンズ群の光軸上での厚みが増大することがなく、光学系の小型化が可能となる。
【０１２２】
本開示におけるズームレンズ系では、無限遠合焦状態から近接物体合焦状態へのフォーカシングの際に光軸に沿って移動するフォーカシングレンズ群が、少なくとも１枚の負のパワーを有するレンズ素子であることが有益である。これにより、フォーカシングレンズ群よりも物体側に配置されたレンズ素子の集光作用を高めることができ、フォーカシングレンズ群の小径化が可能となる。
【０１２３】
本開示におけるズームレンズ系では、像のぶれを光学的に補正するために光軸に対して垂直方向に移動する像ぶれ補正レンズ群が、第２レンズ群又は後続レンズ群に配置されており、負のパワーを有することが有益である。これにより、像ぶれ補正レンズ群よりも物体側に配置されたレンズ素子の集光作用を高めることができ、像ぶれ補正レンズ群の小径化が可能となる。
【０１２４】
本開示におけるズームレンズ系では、開口絞りが第２レンズ群に配置されており、撮像時の広角端から望遠端へのズーミングの際に、開口絞りが第２レンズ群と一体で光軸に沿って移動することが有益である。これにより、第２レンズ群の小径化が可能となる。
【０１２５】
実施の形態１〜６に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、有益である。
【０１２６】
以上のように、本出願において開示する技術の例示として、実施の形態１〜６を説明した。しかしながら、本開示における技術は、これに限定されず、適宜、変更、置き換え、付加、省略などを行った実施の形態にも適用可能である。
【０１２７】
（実施の形態７）
図１９は、実施の形態７に係るレンズ交換式デジタルカメラシステムの概略構成図である。
【０１２８】
本実施の形態７に係るレンズ交換式デジタルカメラシステム１００は、カメラ本体１０１と、カメラ本体１０１に着脱自在に接続される交換レンズ装置２０１とを備える。
【０１２９】
カメラ本体１０１は、交換レンズ装置２０１のズームレンズ系２０２によって形成される光学像を受光して、電気的な画像信号に変換する撮像素子１０２と、撮像素子１０２によって変換された画像信号を表示する液晶モニタ１０３と、カメラマウント部１０４とを含む。一方、交換レンズ装置２０１は、実施の形態１〜６いずれかに係るズームレンズ系２０２と、ズームレンズ系２０２を保持する鏡筒２０３と、カメラ本体１０１のカメラマウント部１０４に接続されるレンズマウント部２０４とを含む。カメラマウント部１０４及びレンズマウント部２０４は、物理的な接続のみならず、カメラ本体１０１内のコントローラ（図示せず）と交換レンズ装置２０１内のコントローラ（図示せず）とを電気的に接続し、相互の信号のやり取りを可能とするインターフェースとしても機能する。なお、図１９においては、ズームレンズ系２０２として実施の形態１に係るズームレンズ系を用いた場合を図示している。
【０１３０】
本実施の形態７では、実施の形態１〜６いずれかに係るズームレンズ系２０２を用いているので、コンパクトで結像性能に優れた交換レンズ装置を低コストで実現することができる。また、本実施の形態７に係るカメラシステム１００全体の小型化及び低コスト化も達成することができる。なお、これら実施の形態１〜６に係るズームレンズ系は、全てのズーミング域を使用する必要はない。すなわち、所望のズーミング域に応じて、光学性能が確保されている範囲を切り出し、以下の対応する数値実施例１〜６で説明するズームレンズ系よりも低倍率のズームレンズ系として使用してもよい。
【０１３１】
以上のように、本出願において開示する技術の例示として、実施の形態７を説明した。しかしながら、本開示における技術は、これに限定されず、適宜、変更、置き換え、付加、省略などを行った実施の形態にも適用可能である。
【０１３２】
以下、実施の形態１〜６に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2014129170.tif 000003
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【０１３３】
図２、５、８、１１、１４及び１７は、各々数値実施例１〜６に係るズームレンズ系の無限遠合焦状態の縦収差図である。
【０１３４】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１３５】
図３、６、９、１２、１５及び１８は、各々数値実施例１〜６に係るズームレンズ系の望遠端における横収差図である。
【０１３６】
各横収差図において、上段３つの収差図は、望遠端における像ぶれ補正を行っていない基本状態、下段３つの収差図は、像ぶれ補正レンズ群を光軸と垂直な方向に所定量移動させた望遠端における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と、第２レンズ群Ｇ２の光軸と、後続レンズ群ＧＲの光軸とを含む平面としている。
【０１３７】
なお、各数値実施例のズームレンズ系について、望遠端における、像ぶれ補正状態での像ぶれ補正レンズ群の光軸と垂直な方向への移動量は、以下に示すとおりである。
数値実施例１    ０．００８ｍｍ
数値実施例２    ０．００７ｍｍ
数値実施例３    ０．０１４ｍｍ
数値実施例４    ０．００７ｍｍ
数値実施例５    ０．０１５ｍｍ
数値実施例６    ０．０１４ｍｍ
【０１３８】
撮影距離が∞で望遠端において、ズームレンズ系が所定の角度だけ傾いた場合の像偏心量は、像ぶれ補正レンズ群が光軸と垂直な方向に上記の各値だけ平行移動するときの像偏心量に等しい。
【０１３９】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、所定の角度までの像ぶれ補正角に対して、結像特性を低下させることなく充分な像ぶれ補正を行うことが可能である。
【０１４０】
（数値実施例１）
数値実施例１のズームレンズ系は、図１に示した実施の形態１に対応する。数値実施例１のズームレンズ系の面データを表１に、各種データを表２に、ズームレンズ群データを表３に示す。
【０１４１】
表  １（面データ）
面番号         r           d           nd         vd                
物面             ∞                                               
1          1.84040     0.02510     1.85026    32.3               
2          1.15550     0.05530     1.49700    81.6               
3          4.93880     0.00140                                   
4          0.83690     0.07290     1.49700    81.6               
5          4.07350        可変                                   
6          1.60820     0.01670     1.62041    60.3               
7          0.55490     0.04650                                   
8         -0.85340     0.01670     1.62041    60.3               
9          1.07880     0.02760     1.92286    20.9               
10          5.77490     0.02380                                   
11(絞り)           ∞        可変                                   
12          1.17250     0.04180     1.80420    46.5               
13         -1.51630     0.00140                                   
14          0.41340     0.08130     1.51680    64.2               
15         -0.68200     0.01670     2.00100    29.1               
16          3.32530        可変                                   
17          1.46630     0.01530     1.48749    70.4               
18          0.47920        可変                                   
19        -51.41050     0.06620     1.92286    20.9               
20         -0.30720     0.01530     1.76182    26.6               
21          0.63490     0.01880                                   
22          2.83440     0.01390     1.92286    20.9               
23          0.57380     0.06180     1.74400    44.8               
24         -1.32710        可変                                   
25          0.75750     0.07490     1.59349    67.0               
26         -1.10960        可変                                   
27         -1.32300     0.01810     1.81600    46.7               
28          0.45580     0.05680     1.84666    23.8               
29          1.10530        (BF)                                   
像面             ∞                                               
【０１４２】
表  ２（各種データ）
ズーム比     2.71628
広角      中間      望遠
焦点距離       1.0006    1.6494    2.7179
Ｆナンバー     4.18720   4.16482   4.18341
画角        16.7820   10.2455    6.2157
像高         0.3020    0.3020    0.3020
レンズ全長      1.6742    2.2820    2.6501
ＢＦ        0.18475   0.49311   0.61721
d5           0.0164    0.4616    0.7732
d11          0.0716    0.1190    0.0209
d16          0.0576    0.0139    0.0139
d18          0.0980    0.0958    0.1373
d24          0.0405    0.1252    0.2984
d26          0.4370    0.2051    0.0209
【０１４３】
表  ３（ズームレンズ群データ）
群    始面      焦点距離  レンズ構成長
1       1       1.89141     0.15470
2       6      -0.73896     0.13130
3      12       0.63318     0.14120
4      17      -1.46766     0.01530
5      19     -10.53512     0.17600
6      25       0.77002     0.07490
7      27      -0.75033     0.07490
【０１４４】
（数値実施例２）
数値実施例２のズームレンズ系は、図４に示した実施の形態２に対応する。数値実施例２のズームレンズ系の面データを表４に、非球面データを表５に、各種データを表６に、ズームレンズ群データを表７に示す。
【０１４５】
表  ４（面データ）
面番号         r           d           nd         vd                
物面             ∞                                               
1          1.93580     0.03350     1.90366    31.3               
2          1.29160     0.10590     1.49700    81.6               
3         23.21580     0.00140                                   
4          1.44500     0.09650     1.49700    81.6               
5         50.84050        可変                                   
6        -59.08650     0.01670     1.63854    55.4               
7          0.64470     0.06890                                   
8         -0.68080     0.01670     1.63854    55.4               
9          0.82450     0.04160     1.92286    20.9               
10          4.34930     0.02680                                   
11(絞り)           ∞     0.02090                                   
12          0.91050     0.02910     1.92286    20.9               
13          1.63050        可変                                   
14*         3.85660     0.05240     1.80139    45.4               
15         -0.89700     0.01670     1.92286    20.9               
16         -2.86650     0.00420                                   
17          0.89110     0.09320     1.59282    68.6               
18         -0.83080     0.00440                                   
19          1.02930     0.08500     1.49700    81.6               
20         -0.67310     0.01670     1.92286    20.9               
21         -2.07180        可変                                   
22          7.13980     0.01530     1.62041    60.3               
23          0.52020        可変                                   
24         10.43920     0.07460     1.92286    20.9               
25         -0.43570     0.01530     1.72825    28.3               
26          0.82870     0.03490                                   
27         -2.59710     0.01390     1.90366    31.3               
28          1.78410     0.03520                                   
29         -1.02610     0.02930     2.00100    29.1               
30         -0.65350        可変                                   
31          0.88700     0.09060     1.59349    67.0               
32         -0.69580        可変                                   
33         -0.65920     0.01810     1.83481    42.7               
34          1.28770        可変                                   
35          0.78490     0.08720     1.76200    40.1               
36         13.83380        (BF)                                   
像面             ∞                                               
【０１４６】
表  ５（非球面データ）
第14面
K= 0.00000E+00, A4=-1.32554E+00, A6= 1.31306E+00, A8=-7.00923E+01 
A10= 8.82313E+02, A12=-4.58927E+03 
【０１４７】
表  ６（各種データ）
ズーム比     2.71485
広角      中間      望遠
焦点距離       1.0005    1.6484    2.7162
Ｆナンバー     2.92639   2.91752   2.91484
画角        16.9840   10.3040    6.2342
像高         0.3020    0.3020    0.3020
レンズ全長      2.0918    2.5931    3.1381
ＢＦ        0.26221   0.45817   0.46911
d5           0.0164    0.5176    1.0623
d13          0.1379    0.0567    0.0284
d21          0.1301    0.1044    0.0139
d23          0.0651    0.0862    0.1540
d30          0.0938    0.0282    0.0688
d32          0.2219    0.0981    0.0209
d34          0.0194    0.0987    0.1757
【０１４８】
表  ７（ズームレンズ群データ）
群    始面      焦点距離  レンズ構成長
1       1       2.16659     0.23730
2       6      -0.75231     0.22070
3      14       0.49859     0.27260
4      22      -0.90517     0.01530
5      24      -1.77355     0.20320
6      31       0.67131     0.09060
7      33      -0.52008     0.01810
8      35       1.08886     0.08720
【０１４９】
（数値実施例３）
数値実施例３のズームレンズ系は、図７に示した実施の形態３に対応する。数値実施例３のズームレンズ系の面データを表８に、各種データを表９に、ズームレンズ群データを表１０に示す。
【０１５０】
表  ８（面データ）
面番号         r           d           nd         vd                
物面             ∞                                               
1          2.39670     0.03350     1.69895    30.0               
2          1.33760     0.11900     1.49700    81.6               
3        -15.34530     0.00140                                   
4          1.19020     0.07290     1.49700    81.6               
5          2.56850        可変                                   
6          0.68160     0.01950     1.48749    70.4               
7          0.36540     0.10280                                   
8         -0.97890     0.01950     1.51742    52.1               
9          0.40910     0.10460     2.00100    29.1               
10         -3.14310     0.02090                                   
11(絞り)           ∞     0.11320                                   
12         -0.56210     0.01670     1.80000    29.8               
13          2.11600        可変                                   
14         12.30670     0.01950     2.00069    25.5               
15          0.63090     0.08590     1.59282    68.6               
16         -0.70000     0.00140                                   
17          1.00470     0.05120     1.80420    46.5               
18         -2.11860        可変                                   
19         -1.05340     0.02630     2.00100    29.1               
20         -0.68300     0.00140                                   
21          4.30190     0.05290     1.49700    81.6               
22         -0.69500     0.01950     1.80518    25.5               
23        -11.12490        可変                                   
24         -8.74590     0.06250     1.92286    20.9               
25         -0.55180     0.01670     1.90366    31.3               
26          0.80860        可変                                   
27          1.02640     0.06940     2.00100    29.1               
28         -3.04450        可変                                   
29         -2.10480     0.01950     1.69895    30.0               
30          1.29890        可変                                   
31          1.54060     0.04410     1.95375    32.3               
32         10.10170        (BF)                                   
像面             ∞                                               
【０１５１】
表  ９（各種データ）
ズーム比     2.71539
広角      中間      望遠
焦点距離       0.9996    1.6473    2.7144
Ｆナンバー     2.92046   2.91520   2.92092
画角        17.2278   10.3496    6.2250
像高         0.3020    0.3020    0.3020
レンズ全長      2.2311    2.7813    3.2761
ＢＦ        0.15745   0.42372   0.15694
d5           0.0209    0.5856    1.1007
d13          0.1810    0.0804    0.0209
d18          0.1689    0.0697    0.0300
d23          0.1553    0.1276    0.0218
d26          0.1131    0.1701    0.3323
d28          0.3153    0.0611    0.0209
d30          0.0249    0.1688    0.4983
【０１５２】
表  １０（ズームレンズ群データ）
群    始面      焦点距離  レンズ構成長
1       1       2.50584     0.22680
2       6      -0.72771     0.39720
3      14       0.66239     0.15800
4      19       3.52755     0.10010
5      24      -0.83844     0.07920
6      27       0.77344     0.06940
7      29      -1.14648     0.01950
8      31       1.90121     0.04410
【０１５３】
（数値実施例４）
数値実施例４のズームレンズ系は、図１０に示した実施の形態４に対応する。数値実施例４のズームレンズ系の面データを表１１に、非球面データを表１２に、各種データを表１３に、ズームレンズ群データを表１４に示す。
【０１５４】
表  １１（面データ）
面番号         r           d           nd         vd                
物面             ∞                                               
1          1.87530     0.03350     1.90366    31.3               
2          1.26990     0.10120     1.49700    81.6               
3         17.96860     0.00140                                   
4          1.42590     0.09720     1.49700    81.6               
5         43.60450        可変                                   
6         80.10370     0.01670     1.63854    55.4               
7          0.68640     0.06550                                   
8         -0.71550     0.01670     1.63854    55.4               
9          0.75390     0.04050     1.92286    20.9               
10          2.61960     0.03060                                   
11(絞り)           ∞     0.02090                                   
12          1.02290     0.02950     1.92286    20.9               
13          2.28880        可変                                   
14*         3.81910     0.04800     1.80139    45.4               
15         -0.98620     0.01670     1.92286    20.9               
16         -4.47670     0.00280                                   
17          0.88400     0.09070     1.59282    68.6               
18         -0.81540     0.00140                                   
19          1.04930     0.08030     1.49700    81.6               
20         -0.68970     0.01670     1.92286    20.9               
21         -1.97720        可変                                   
22          8.19550     0.01530     1.62041    60.3               
23          0.51590        可変                                   
24          6.72020     0.07530     1.92286    20.9               
25         -0.45450     0.01530     1.72825    28.3               
26          0.82690     0.03180                                   
27         -4.88730     0.01390     1.90366    31.3               
28          1.39010     0.04400                                   
29         -1.00640     0.02750     2.00100    29.1               
30         -0.67770        可変                                   
31          0.83690     0.08810     1.59349    67.0               
32         -0.72300        可変                                   
33         -0.65640     0.01810     1.83481    42.7               
34          1.11340        可変                                   
35          0.73840     0.09620     1.76200    40.1               
36         79.27130        (BF)                                   
像面             ∞                                               
【０１５５】
表  １２（非球面データ）
第14面
K= 0.00000E+00, A4=-1.30591E+00, A6= 1.29373E+00, A8=-6.99700E+01 
A10= 8.53665E+02, A12=-4.21043E+03 
【０１５６】
表  １３（各種データ）
ズーム比     2.71550
広角      中間      望遠
焦点距離       1.0000    1.6481    2.7156
Ｆナンバー     2.91377   2.91433   2.92488
画角        16.7398   10.2780    6.2222
像高         0.3020    0.3020    0.3020
レンズ全長      2.0220    2.5412    3.0681
ＢＦ        0.19367   0.39907   0.41590
d5           0.0160    0.5170    1.0418
d13          0.1233    0.0533    0.0229
d21          0.1598    0.1161    0.0139
d23          0.0649    0.1085    0.2107
d30          0.0638    0.0333    0.0564
d32          0.2508    0.1197    0.0400
d34          0.0139    0.0584    0.1307
【０１５７】
表  １４（ズームレンズ群データ）
群    始面      焦点距離  レンズ構成長
1       1       2.13640     0.23330
2       6      -0.79636     0.22040
3      14       0.51206     0.25660
4      22      -0.88809     0.01530
5      24      -1.68779     0.20780
6      31       0.66762     0.08810
7      33      -0.49237     0.01810
8      35       0.97762     0.09620
【０１５８】
（数値実施例５）
数値実施例５のズームレンズ系は、図１３に示した実施の形態５に対応する。数値実施例５のズームレンズ系の面データを表１５に、非球面データを表１６に、各種データを表１７に、ズームレンズ群データを表１８に示す。
【０１５９】
表  １５（面データ）
面番号         r           d           nd         vd                
物面             ∞                                               
1          2.08010     0.29530     1.59349    67.0               
2         10.38890        可変                                   
3          3.02610     0.05660     2.00069    25.5               
4          0.78610     0.33790                                   
5*        -2.80650     0.04450     1.61881    63.9               
6*         2.11510     0.00430                                   
7          1.52320     0.16950     1.92049    20.4               
8         -3.44070     0.03350                                   
9         -1.89360     0.03010     1.93985    31.6               
10         -2.43920        可変                                   
11         -1.08360     0.03640     1.71300    53.9               
12         -4.95280        可変                                   
13          1.24260     0.19590     1.95375    32.3               
14         -5.24890     0.02830     1.91285    18.6               
15         -5.77800     0.04050                                   
16(絞り)           ∞     0.08320                                   
17*        -5.77460     0.02830     1.77250    49.5               
18*         3.62930     0.04050                                   
19          0.86250     0.27560     1.61800    63.4               
20         -1.31230     0.02830     1.93194    23.1               
21          1.12040     0.02820                                   
22*         1.12950     0.11290     1.85135    40.1               
23*      -139.70570        可変                                   
24          5.47530     0.02830     1.80518    25.5               
25          1.53880        可変                                   
26          0.95210     0.34050     1.59282    68.6               
27         -1.40710     0.02080                                   
28*       -16.27190     0.02930     1.76801    49.2               
29*         1.52520     0.07240                                   
30          3.72460     0.05730     1.70656    25.4               
31          7.11800     0.19660                                   
32         -0.77810     0.02830     1.62217    62.7               
33        -21.44740        可変                                   
34          5.15790     0.16480     1.94595    18.0               
35         -3.36610        (BF)                                   
像面             ∞                                               
【０１６０】
表  １６（非球面データ）
第5面
K= 0.00000E+00, A4= 1.99113E-02, A6= 3.67766E-02, A8= 1.45427E-01 
A10=-2.90987E-01 
第6面
K= 0.00000E+00, A4=-7.04614E-02, A6=-4.00806E-03, A8=-7.44474E-02 
A10=-3.28602E-01 
第17面
K= 0.00000E+00, A4= 2.20636E-02, A6=-1.98617E-02, A8= 9.51305E-02 
A10=-5.27705E-01 
第18面
K= 0.00000E+00, A4=-1.99548E-02, A6= 5.35999E-02, A8=-2.02944E-01 
A10=-2.72783E-01 
第22面
K= 0.00000E+00, A4=-3.89066E-01, A6=-9.49243E-02, A8=-8.66886E-01 
A10= 1.87708E+00 
第23面
K= 0.00000E+00, A4= 5.93174E-02, A6=-2.15146E-01, A8= 2.50322E-01 
A10=-1.04512E-03 
第28面
K= 0.00000E+00, A4=-2.09188E-01, A6=-2.15261E-01, A8= 5.66262E-02 
A10=-3.91742E+00 
第29面
K= 0.00000E+00, A4= 1.89495E-01, A6= 2.03738E-02, A8= 2.29840E+00 
A10=-8.10091E+00 
【０１６１】
表  １７（各種データ）
ズーム比     2.74588
広角      中間      望遠
焦点距離       0.9999    1.6569    2.7455
Ｆナンバー     2.92252   2.92090   2.92378
画角        41.4050   26.2253   16.1714
像高         0.8090    0.8090    0.8090
レンズ全長      4.4370    4.7915    5.8229
ＢＦ         0.4842    0.8977    1.1555
d2           0.0202    0.3185    1.0025
d10          0.2496    0.2528    0.2950
d12          0.5669    0.2340    0.0663
d23          0.0417    0.0861    0.0599
d25          0.2467    0.0871    0.0557
d33          0.0202    0.1064    0.3791
【０１６２】
表  １８（ズームレンズ群データ）
群   始面    焦点距離  レンズ構成長
1      1     4.32503     0.29530
2      3    -1.75466     0.67640
3     11    -1.95305     0.03640
4     13     0.99667     0.86170
5     24    -2.66674     0.02830
6     26     9.79946     0.74520
7     34     2.17366     0.16480
【０１６３】
（数値実施例６）
数値実施例６のズームレンズ系は、図１６に示した実施の形態６に対応する。数値実施例６のズームレンズ系の面データを表１９に、各種データを表２０に、ズームレンズ群データを表２１に示す。
【０１６４】
表  １９（面データ）
面番号         r           d           nd         vd       
物面             ∞                                      
1          1.88670     0.02770     1.90366    31.3      
2          1.47620     0.11830     1.49700    81.6      
3        -24.47620     0.00280                          
4          1.88940     0.06900     1.49700    81.6      
5          5.94170        可変                          
6          1.30460     0.01120     1.59669    65.5      
7          0.50010     0.08610                          
8         -0.72310     0.01160     1.64013    32.6      
9          0.62800     0.05760     1.94595    18.0      
10          2.65740     0.04160                          
11(絞り)           ∞        可変                          
12          1.38340     0.01110     1.98339    24.5      
13          0.50340     0.11000     1.82918    35.6      
14         -1.25640     0.00550                          
15          0.47400     0.10440     1.78164    26.2      
16         -1.47790     0.04250     1.81011    24.2      
17          0.42220     0.09800                          
18         -0.42850     0.01110     1.84566    23.8      
19         66.88480     0.01340                          
20          1.65520     0.04120     1.76565    22.3      
21        -11.25210     0.00480                          
22         31.51010     0.06300     1.85345    22.6      
23         -0.72320        可変                          
24        -21.87790     0.01390     1.97287    22.3      
25          0.58150     0.11220     1.49700    81.6      
26         -0.63630     0.00280                          
27          1.11030     0.05390     1.90069    32.3      
28         -4.63640     0.02260                          
29         -3.84910     0.04000     1.94595    18.0      
30         -1.24500     0.01110     1.72342    38.0      
31          0.85260        可変                          
32          0.61970     0.06380     1.71300    53.9      
33          4.84270        可変                          
34         -2.00340     0.04020     1.77051    24.8      
35         -1.01710     0.00300                          
36         -1.80660     0.01190     1.82597    35.7      
37          0.61790        可変                          
38          1.13780     0.07670     1.75862    25.0      
39         -6.27170        (BF)                          
像面             ∞                                      
【０１６５】
表  ２０（各種データ）
ズーム比     2.69929
広角      中間      望遠
焦点距離       1.0001    1.6436    2.6997
Ｆナンバー     2.90615   2.90711   2.91261
画角        16.8803   10.1861    6.2045
像高         0.3000    0.3000    0.3000
レンズ全長      2.6889    3.1802    3.6839
ＢＦ        0.60442   0.60442   0.60442
d5           0.0137    0.6274    1.1342
d11          0.2232    0.0764    0.0138
d23          0.1685    0.0908    0.0137
d31          0.0549    0.0728    0.2065
d33          0.2038    0.1921    0.0434
d37          0.0371    0.1326    0.2842
入射瞳位置      0.3442    1.4240    3.2362
射出瞳位置     -2.3587   -1.9023   -2.9697
前側主点位置    1.0068    1.9901    3.8969
後側主点位置    1.6888    1.5366    0.9842
【０１６６】
表  ２１（ズームレンズ群データ）
群   始面    焦点距離  レンズ構成長
1      1     2.48620     0.21780
2      6    -0.64857     0.20810
3     12     0.98834     0.50520
4     24     8.39219     0.25660
5     32     0.99046     0.06380
6     34    -0.69995     0.05510
7     38     1.27522     0.07670
【０１６７】
以下の表２２に、各数値実施例のズームレンズ系における各条件の対応値を示す。
【０１６８】
表  ２２（条件の対応値）
【表１】
2014129170.tif 000004
【０１６９】
以上のように、本開示における技術の例示として、実施の形態を説明した。そのために、添付図面および詳細な説明を提供した。
【０１７０】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１７１】
また、上述の実施の形態は、本開示における技術を例示するためのものであるから、特許請求の範囲またはその均等の範囲において種々の変更、置き換え、付加、省略などを行うことができる。
【産業上の利用可能性】
【０１７２】
本開示は、デジタルスチルカメラ、デジタルビデオカメラ、スマートフォン等の携帯情報端末のカメラ、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラ等に適用可能である。特に本開示は、デジタルスチルカメラシステム、デジタルビデオカメラシステムといった高画質が要求される撮影光学系に適用可能である。【０１７３】
また本開示は、本開示における交換レンズ装置の中でも、デジタルビデオカメラシステムに備えられる、ズームレンズ系をモータにより駆動する電動ズーム機能を搭載した交換レンズ装置に適用可能である。
【符号の説明】
【０１７４】
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
Ｇ７    第７レンズ群
Ｇ８    第８レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ｌ１３  第１３レンズ素子
Ｌ１４  第１４レンズ素子
Ｌ１５  第１５レンズ素子
Ｌ１６  第１６レンズ素子
Ｌ１７  第１７レンズ素子
Ｌ１８  第１８レンズ素子
Ｌ１９  第１９レンズ素子
Ｌ２０  第２０レンズ素子
Ｌ２１  第２１レンズ素子
Ｌ２２  第２２レンズ素子
Ａ      開口絞り
Ｓ      像面
１００  レンズ交換式デジタルカメラシステム
１０１  カメラ本体
１０２  撮像素子
１０３  液晶モニタ
１０４  カメラマウント部
２０１  交換レンズ装置
２０２  ズームレンズ系
２０３  鏡筒
２０４  レンズマウント部
【図１】
2014129170.tif 000005
【図２】
2014129170.tif 000006
【図３】
2014129170.tif 000007
【図４】
2014129170.tif 000008
【図５】
2014129170.tif 000009
【図６】
2014129170.tif 000010
【図７】
2014129170.tif 000011
【図８】
2014129170.tif 000012
【図９】
2014129170.tif 000013
【図１０】
2014129170.tif 000014
【図１１】
2014129170.tif 000015
【図１２】
2014129170.tif 000016
【図１３】
2014129170.tif 000017
【図１４】
2014129170.tif 000018
【図１５】
2014129170.tif 000019
【図１６】
2014129170.tif 000020
【図１７】
2014129170.tif 000021
【図１８】
2014129170.tif 000022
【図１９】
2014129170.tif 000023
【手続補正書】
【提出日】平成27年7月13日(2015.7.13)
【手続補正１】
【補正対象書類名】明細書
【補正対象項目名】全文
【補正方法】変更
【補正の内容】
【発明の詳細な説明】
【技術分野】
【０００１】
本開示は、ズームレンズ系、交換レンズ装置及びカメラシステムに関する。
【背景技術】
【０００２】
レンズ交換式デジタルカメラシステム（以下、単に「カメラシステム」ともいう）は、高感度で高画質な画像を撮影することができ、フォーカシングや撮影後の画像処理が高速で、撮りたい場面に合わせて手軽に交換レンズ装置を取り替えることができる等の利点があり、近年急速に普及している。また光学像を変倍可能に形成するズームレンズ系を備えた交換レンズ装置は、焦点距離を自在に変化させることができる点で人気がある。
【０００３】
特許文献１は、正負正負正負の６群構成で、第３レンズ群でフォーカシングを行う、インナーフォーカスタイプのズームレンズ系を開示している。
【０００４】
特許文献２は、正負正負負正の６群構成で、複数のレンズ群でフォーカシングを行う、インナーフォーカスタイプのズームレンズ系を開示している。
【先行技術文献】
【特許文献】
【０００５】
【特許文献１】特開２０１１−０９０１８６号公報
【特許文献２】特開２０１２−０４７８１４号公報
【発明の概要】
【発明が解決しようとする課題】
【０００６】
本開示は、小型で、色収差が充分に補正され、高い光学性能を有するズームレンズ系を提供する。また本開示は、該ズームレンズ系を含む交換レンズ装置及びカメラシステムを提供する。
【課題を解決するための手段】
【０００７】
本開示におけるズームレンズ系は、
少なくとも１枚のレンズ素子で構成されたレンズ群を有し、
物体側から像側へと順に、
最物体側に配置された、正のパワーを有する第１レンズ群と、
負のパワーを有する第２レンズ群と、
後続する５つ又は６つのレンズ群とからなり、
開口絞りを備え、
撮像時の広角端から望遠端へのズーミングにおいて、隣り合うレンズ群同士の間隔が変化し、
前記第１レンズ群は、前記ズーミングの際に光軸に沿って移動し、無限遠合焦状態から近接物体合焦状態へのフォーカシングの際に像面に対して固定であり、
以下の条件（１）、（２）及び（３）：
ＢＦ／ｆＷ＜０．６６  ・・・（１）
ＤＡ／ＬＷ＞０．４２  ・・・（２）
ＤＡＩＲ／Ｙ＜２．００  ・・・（３）
（ここで、
ＢＦ：最像側に配置されたレンズ素子の像側面の面頂から像面までの距離、
ｆＷ：広角端における全系の焦点距離、
ＤＡ：全系における各レンズ群の光軸上での厚みの和、
ＬＷ：広角端におけるレンズ全長（広角端における、最物体側に配置されたレンズ素子の物体側面から像面までの光軸上の距離）、
ＤＡＩＲ：広角端におけるレンズ系を構成するレンズ素子間の空気間隔のうち最大値、
Ｙ：最大像高（Ｙ＝ｆＴ×ｔａｎ（ωＴ））、
ｆＴ：望遠端における全系の焦点距離、
ωＴ：望遠端における最大画角の半値（°）
である）
を満足する
ことを特徴とする。
【０００８】
本開示における交換レンズ装置は、
少なくとも１枚のレンズ素子で構成されたレンズ群を有し、
物体側から像側へと順に、
最物体側に配置された、正のパワーを有する第１レンズ群と、
負のパワーを有する第２レンズ群と、
後続する５つ又は６つのレンズ群とからなり、
開口絞りを備え、
撮像時の広角端から望遠端へのズーミングにおいて、隣り合うレンズ群同士の間隔が変化し、
前記第１レンズ群は、前記ズーミングの際に光軸に沿って移動し、無限遠合焦状態から近接物体合焦状態へのフォーカシングの際に像面に対して固定であり、
以下の条件（１）、（２）及び（３）：
ＢＦ／ｆＷ＜０．６６  ・・・（１）
ＤＡ／ＬＷ＞０．４２  ・・・（２）
ＤＡＩＲ／Ｙ＜２．００  ・・・（３）
（ここで、
ＢＦ：最像側に配置されたレンズ素子の像側面の面頂から像面までの距離、
ｆＷ：広角端における全系の焦点距離、
ＤＡ：全系における各レンズ群の光軸上での厚みの和、
ＬＷ：広角端におけるレンズ全長（広角端における、最物体側に配置されたレンズ素子の物体側面から像面までの光軸上の距離）、
ＤＡＩＲ：広角端におけるレンズ系を構成するレンズ素子間の空気間隔のうち最大値、
Ｙ：最大像高（Ｙ＝ｆＴ×ｔａｎ（ωＴ））、
ｆＴ：望遠端における全系の焦点距離、
ωＴ：望遠端における最大画角の半値（°）
である）
を満足するズームレンズ系と、
前記ズームレンズ系が形成する光学像を受光して電気的な画像信号に変換する撮像素子を含むカメラ本体との接続が可能なレンズマウント部と
を備える
ことを特徴とする。
【０００９】
本開示におけるカメラシステムは、
少なくとも１枚のレンズ素子で構成されたレンズ群を有し、
物体側から像側へと順に、
最物体側に配置された、正のパワーを有する第１レンズ群と、
負のパワーを有する第２レンズ群と、
後続する５つ又は６つのレンズ群とからなり、
開口絞りを備え、
撮像時の広角端から望遠端へのズーミングにおいて、隣り合うレンズ群同士の間隔が変化し、
前記第１レンズ群は、前記ズーミングの際に光軸に沿って移動し、無限遠合焦状態から近接物体合焦状態へのフォーカシングの際に像面に対して固定であり、
以下の条件（１）、（２）及び（３）：
ＢＦ／ｆＷ＜０．６６  ・・・（１）
ＤＡ／ＬＷ＞０．４２  ・・・（２）
ＤＡＩＲ／Ｙ＜２．００  ・・・（３）
（ここで、
ＢＦ：最像側に配置されたレンズ素子の像側面の面頂から像面までの距離、
ｆＷ：広角端における全系の焦点距離、
ＤＡ：全系における各レンズ群の光軸上での厚みの和、
ＬＷ：広角端におけるレンズ全長（広角端における、最物体側に配置されたレンズ素子の物体側面から像面までの光軸上の距離）、
ＤＡＩＲ：広角端におけるレンズ系を構成するレンズ素子間の空気間隔のうち最大値、
Ｙ：最大像高（Ｙ＝ｆＴ×ｔａｎ（ωＴ））、
ｆＴ：望遠端における全系の焦点距離、
ωＴ：望遠端における最大画角の半値（°）
である）
を満足するズームレンズ系、を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体と
を備える
ことを特徴とする。
【発明の効果】
【００１０】
本開示におけるズームレンズ系は、小型で、色収差が充分に補正され、高い光学性能を有する。
【図面の簡単な説明】
【００１１】
【図１】実施の形態１（数値実施例１）に係るズームレンズ系の無限遠合焦状態を示すレンズ配置図
【図２】数値実施例１に係るズームレンズ系の無限遠合焦状態の縦収差図
【図３】数値実施例１に係るズームレンズ系の望遠端における、像ぶれ補正を行っていない基本状態及び像ぶれ補正状態での横収差図
【図４】実施の形態２（数値実施例２）に係るズームレンズ系の無限遠合焦状態を示すレンズ配置図
【図５】数値実施例２に係るズームレンズ系の無限遠合焦状態の縦収差図
【図６】数値実施例２に係るズームレンズ系の望遠端における、像ぶれ補正を行っていない基本状態及び像ぶれ補正状態での横収差図
【図７】実施の形態３（数値実施例３）に係るズームレンズ系の無限遠合焦状態を示すレンズ配置図
【図８】数値実施例３に係るズームレンズ系の無限遠合焦状態の縦収差図
【図９】数値実施例３に係るズームレンズ系の望遠端における、像ぶれ補正を行っていない基本状態及び像ぶれ補正状態での横収差図
【図１０】実施の形態４（数値実施例４）に係るズームレンズ系の無限遠合焦状態を示すレンズ配置図
【図１１】数値実施例４に係るズームレンズ系の無限遠合焦状態の縦収差図
【図１２】数値実施例４に係るズームレンズ系の望遠端における、像ぶれ補正を行っていない基本状態及び像ぶれ補正状態での横収差図
【図１３】実施の形態５（数値実施例５）に係るズームレンズ系の無限遠合焦状態を示すレンズ配置図
【図１４】数値実施例５に係るズームレンズ系の無限遠合焦状態の縦収差図
【図１５】数値実施例５に係るズームレンズ系の望遠端における、像ぶれ補正を行っていない基本状態及び像ぶれ補正状態での横収差図
【図１６】実施の形態６（数値実施例６）に係るズームレンズ系の無限遠合焦状態を示すレンズ配置図
【図１７】数値実施例６に係るズームレンズ系の無限遠合焦状態の縦収差図
【図１８】数値実施例６に係るズームレンズ系の望遠端における、像ぶれ補正を行っていない基本状態及び像ぶれ補正状態での横収差図
【図１９】実施の形態７に係るレンズ交換式デジタルカメラシステムの概略構成図
【発明を実施するための形態】
【００１２】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、発明者らは、当業者が本開示を充分に理解するために添付図面および以下の説明を提供するのであって、これらによって請求の範囲に記載の主題を限定することを意図するものではない。
【００１４】
（実施の形態１〜６）
図１、４、７、１０、１３及び１６は、各々実施の形態１〜６に係るズームレンズ系のレンズ配置図であり、いずれも無限遠合焦状態にあるズームレンズ系を表している。
【００１５】
各図において、（ａ）図は広角端（最短焦点距離状態：焦点距離ｆＷ）のレンズ構成、（ｂ）図は中間位置（中間焦点距離状態：焦点距離ｆＭ＝√（ｆＷ＊ｆＴ））のレンズ構成、（ｃ）図は望遠端（最長焦点距離状態：焦点距離ｆＴ）のレンズ構成をそれぞれ表している。各図において、（ａ）図と（ｂ）図との間に設けられた直線若しくは曲線の矢印は、広角端から中間位置を経由して望遠端への、各レンズ群の動きを示す。広角端と中間位置との間、中間位置と望遠端との間は、単純に直線で接続されているだけであり、実際の各レンズ群の動きとは異なる。
【００１６】
さらに各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【００１７】
実施の形態１〜６に係るズームレンズ系は、物体側から像側へと順に、正のパワーを有する第１レンズ群Ｇ１と、負のパワーを有する第２レンズ群Ｇ２と、後続レンズ群ＧＲとを備え、撮像時の広角端から望遠端へのズーミングの際に、第１レンズ群Ｇ１と第２レンズ群Ｇ２との間隔が変化するように、第１レンズ群Ｇ１及び第２レンズ群Ｇ２が光軸に沿った方向にそれぞれ移動する。各実施の形態に係るズームレンズ系は、これら各レンズ群を所望のパワー配置にすることにより、高い光学性能を保持しつつ、レンズ系全体の小型化を可能にしている。
【００１８】
なお図１、４、７、１０、１３及び１６において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表している。
【００１９】
（実施の形態１）
図１に示すように、実施の形態１に係るズームレンズ系は、物体側から像側へと順に、正のパワーを有する第１レンズ群Ｇ１、負のパワーを有する第２レンズ群Ｇ２、正のパワーを有する第３レンズ群Ｇ３、負のパワーを有する第４レンズ群Ｇ４、負のパワーを有する第５レンズ群Ｇ５、正のパワーを有する第６レンズ群Ｇ６、及び負のパワーを有する第７レンズ群Ｇ７からなる。
【００２０】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と、第２レンズ素子Ｌ２とが接合されている。
【００２１】
第２レンズ群Ｇ２は、物体側から像側へと順に、物体側に凸面を向けた負メニスカス形状の第４レンズ素子Ｌ４と、両凹形状の第５レンズ素子Ｌ５と、物体側に凸面を向けた正メニスカス形状の第６レンズ素子Ｌ６と、開口絞りＡとからなる。これらのうち、第５レンズ素子Ｌ５と、第６レンズ素子Ｌ６とが接合されている。
【００２２】
第３レンズ群Ｇ３は、物体側から像側へと順に、両凸形状の第７レンズ素子Ｌ７と、両凸形状の第８レンズ素子Ｌ８と、両凹形状の第９レンズ素子Ｌ９とからなる。これらのうち、第８レンズ素子Ｌ８と、第９レンズ素子Ｌ９とが接合されている。
【００２３】
第４レンズ群Ｇ４は、物体側に凸面を向けた負メニスカス形状の第１０レンズ素子Ｌ１０のみからなる。
【００２４】
第５レンズ群Ｇ５は、物体側から像側へと順に、像側に凸面を向けた正メニスカス形状の第１１レンズ素子Ｌ１１と、両凹形状の第１２レンズ素子Ｌ１２と、物体側に凸面を向けた負メニスカス形状の第１３レンズ素子Ｌ１３と、両凸形状の第１４レンズ素子Ｌ１４とからなる。これらのうち、第１１レンズ素子Ｌ１１と、第１２レンズ素子Ｌ１２とが接合されており、第１３レンズ素子Ｌ１３と、第１４レンズ素子Ｌ１４とが接合されている。
【００２５】
第６レンズ群Ｇ６は、両凸形状の第１５レンズ素子Ｌ１５のみからなる。
【００２６】
第７レンズ群Ｇ７は、物体側から像側へと順に、両凹形状の第１６レンズ素子Ｌ１６と、物体側に凸面を向けた正メニスカス形状の第１７レンズ素子Ｌ１７とからなる。第１６レンズ素子Ｌ１６と、第１７レンズ素子Ｌ１７とが接合されている。
【００２７】
実施の形態１に係るズームレンズ系において、撮像時の広角端から望遠端へのズーミングの際に、第１レンズ群Ｇ１、第２レンズ群Ｇ２、第３レンズ群Ｇ３、第４レンズ群Ｇ４、第５レンズ群Ｇ５及び第７レンズ群Ｇ７は、単調に物体側へ移動し、第６レンズ群Ｇ６は、物体側に凸の軌跡を描いて移動する。
【００２８】
実施の形態１に係るズームレンズ系において、無限遠合焦状態から近接物体合焦状態へのフォーカシングの際に、第４レンズ群Ｇ４が光軸に沿って像側へ移動すると共に、第６レンズ群Ｇ６が光軸に沿って物体側へ移動する。
【００２９】
実施の形態１に係るズームレンズ系において、第２レンズ群Ｇ２が、像のぶれを光学的に補正するために光軸に対して垂直方向に移動する像ぶれ補正レンズ群である。
【００３０】
（実施の形態２）
図４に示すように、実施の形態２に係るズームレンズ系は、物体側から像側へと順に、正のパワーを有する第１レンズ群Ｇ１、負のパワーを有する第２レンズ群Ｇ２、正のパワーを有する第３レンズ群Ｇ３、負のパワーを有する第４レンズ群Ｇ４、負のパワーを有する第５レンズ群Ｇ５、正のパワーを有する第６レンズ群Ｇ６、負のパワーを有する第７レンズ群Ｇ７、及び正のパワーを有する第８レンズ群Ｇ８からなる。
【００３１】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と、第２レンズ素子Ｌ２とが接合されている。
【００３２】
第２レンズ群Ｇ２は、物体側から像側へと順に、両凹形状の第４レンズ素子Ｌ４と、両凹形状の第５レンズ素子Ｌ５と、物体側に凸面を向けた正メニスカス形状の第６レンズ素子Ｌ６と、開口絞りＡと、物体側に凸面を向けた正メニスカス形状の第７レンズ素子Ｌ７とからなる。これらのうち、第５レンズ素子Ｌ５と、第６レンズ素子Ｌ６とが接合されている。
【００３３】
第３レンズ群Ｇ３は、物体側から像側へと順に、両凸形状の第８レンズ素子Ｌ８と、像側に凸面を向けた負メニスカス形状の第９レンズ素子Ｌ９と、両凸形状の第１０レンズ素子Ｌ１０と、両凸形状の第１１レンズ素子Ｌ１１と、像側に凸面を向けた負メニスカス形状の第１２レンズ素子Ｌ１２とからなる。これらのうち、第８レンズ素子Ｌ８と、第９レンズ素子Ｌ９とが接合されており、第１１レンズ素子Ｌ１１と、第１２レンズ素子Ｌ１２とが接合されている。また、第８レンズ素子Ｌ８は、その物体側面が非球面である。
【００３４】
第４レンズ群Ｇ４は、物体側に凸面を向けた負メニスカス形状の第１３レンズ素子Ｌ１３のみからなる。
【００３５】
第５レンズ群Ｇ５は、物体側から像側へと順に、両凸形状の第１４レンズ素子Ｌ１４と、両凹形状の第１５レンズ素子Ｌ１５と、両凹形状の第１６レンズ素子Ｌ１６と、像側に凸面を向けた正メニスカス形状の第１７レンズ素子Ｌ１７とからなる。これらのうち、第１４レンズ素子Ｌ１４と、第１５レンズ素子Ｌ１５とが接合されている。
【００３６】
第６レンズ群Ｇ６は、両凸形状の第１８レンズ素子Ｌ１８のみからなる。
【００３７】
第７レンズ群Ｇ７は、両凹形状の第１９レンズ素子Ｌ１９のみからなる。
【００３８】
第８レンズ群Ｇ８は、物体側に凸面を向けた正メニスカス形状の第２０レンズ素子Ｌ２０のみからなる。
【００３９】
実施の形態２に係るズームレンズ系において、撮像時の広角端から望遠端へのズーミングの際に、第１レンズ群Ｇ１、第３レンズ群Ｇ３、第４レンズ群Ｇ４、第５レンズ群Ｇ５、第６レンズ群Ｇ６、第７レンズ群Ｇ７及び第８レンズ群Ｇ８は、単調に物体側へ移動し、第２レンズ群Ｇ２は、像面Ｓに対して固定されている。
【００４０】
実施の形態２に係るズームレンズ系において、無限遠合焦状態から近接物体合焦状態へのフォーカシングの際に、第４レンズ群Ｇ４が光軸に沿って像側へ移動すると共に、第７レンズ群Ｇ７が光軸に沿って物体側へ移動する。
【００４１】
実施の形態２に係るズームレンズ系において、第２レンズ群Ｇ２の一部である、第４レンズ素子Ｌ４、第５レンズ素子Ｌ５及び第６レンズ素子Ｌ６が、像のぶれを光学的に補正するために光軸に対して垂直方向に移動する像ぶれ補正レンズ群である。
【００４２】
（実施の形態３）
図７に示すように、実施の形態３に係るズームレンズ系は、物体側から像側へと順に、正のパワーを有する第１レンズ群Ｇ１、負のパワーを有する第２レンズ群Ｇ２、正のパワーを有する第３レンズ群Ｇ３、正のパワーを有する第４レンズ群Ｇ４、負のパワーを有する第５レンズ群Ｇ５、正のパワーを有する第６レンズ群Ｇ６、負のパワーを有する第７レンズ群Ｇ７、及び正のパワーを有する第８レンズ群Ｇ８からなる。
【００４３】
第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と、第２レンズ素子Ｌ２とが接合されている。
【００４４】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、開口絞りＡと、両凹形状の第７レンズ素子Ｌ７とからなる。これらのうち、第５レンズ素子Ｌ５と、第６レンズ素子Ｌ６とが接合されている。
【００４５】
第３レンズ群Ｇ３は、物体側から像側へと順に、物体側に凸面を向けた負メニスカス形状の第８レンズ素子Ｌ８と、両凸形状の第９レンズ素子Ｌ９と、両凸形状の第１０レンズ素子Ｌ１０とからなる。これらのうち、第８レンズ素子Ｌ８と、第９レンズ素子Ｌ９とが接合されている。
【００４６】
第４レンズ群Ｇ４は、物体側から像側へと順に、像側に凸面を向けた正メニスカス形状の第１１レンズ素子Ｌ１１と、両凸形状の第１２レンズ素子Ｌ１２と、像側に凸面を向けた負メニスカス形状の第１３レンズ素子Ｌ１３とからなる。これらのうち、第１２レンズ素子Ｌ１２と、第１３レンズ素子Ｌ１３とが接合されている。
【００４７】
第５レンズ群Ｇ５は、物体側から像側へと順に、像側に凸面を向けた正メニスカス形状の第１４レンズ素子Ｌ１４と、両凹形状の第１５レンズ素子Ｌ１５とからなる。第１４レンズ素子Ｌ１４と、第１５レンズ素子Ｌ１５とが接合されている。
【００４８】
第６レンズ群Ｇ６は、両凸形状の第１６レンズ素子Ｌ１６のみからなる。
【００４９】
第７レンズ群Ｇ７は、両凹形状の第１７レンズ素子Ｌ１７のみからなる。
【００５０】
第８レンズ群Ｇ８は、物体側に凸面を向けた正メニスカス形状の第１８レンズ素子Ｌ１８のみからなる。
【００５１】
実施の形態３に係るズームレンズ系において、撮像時の広角端から望遠端へのズーミングの際に、第１レンズ群Ｇ１、第３レンズ群Ｇ３、第４レンズ群Ｇ４、第５レンズ群Ｇ５、第６レンズ群Ｇ６、及び第７レンズ群Ｇ７は、単調に物体側へ移動し、第２レンズ群Ｇ２は、単調に像側へ移動し、第８レンズ群Ｇ８は、物体側に凸の軌跡を描いて移動する。
【００５２】
実施の形態３に係るズームレンズ系において、無限遠合焦状態から近接物体合焦状態へのフォーカシングの際に、第２レンズ群Ｇ２の一部である第７レンズ素子Ｌ７が光軸に沿って物体側へ移動すると共に、第６レンズ群Ｇ６が光軸に沿って物体側へ移動する。
【００５３】
実施の形態３に係るズームレンズ系において、第５レンズ群Ｇ５が、像のぶれを光学的に補正するために光軸に対して垂直方向に移動する像ぶれ補正レンズ群である。
【００５４】
（実施の形態４）
図１０に示すように、実施の形態４に係るズームレンズ系は、物体側から像側へと順に、正のパワーを有する第１レンズ群Ｇ１、負のパワーを有する第２レンズ群Ｇ２、正のパワーを有する第３レンズ群Ｇ３、負のパワーを有する第４レンズ群Ｇ４、負のパワーを有する第５レンズ群Ｇ５、正のパワーを有する第６レンズ群Ｇ６、負のパワーを有する第７レンズ群Ｇ７、及び正のパワーを有する第８レンズ群Ｇ８からなる。
【００５５】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と、第２レンズ素子Ｌ２とが接合されている。
【００５６】
第２レンズ群Ｇ２は、物体側から像側へと順に、物体側に凸面を向けた負メニスカス形状の第４レンズ素子Ｌ４と、両凹形状の第５レンズ素子Ｌ５と、物体側に凸面を向けた正メニスカス形状の第６レンズ素子Ｌ６と、開口絞りＡと、物体側に凸面を向けた正メニスカス形状の第７レンズ素子Ｌ７とからなる。これらのうち、第５レンズ素子Ｌ５と、第６レンズ素子Ｌ６とが接合されている。
【００５７】
第３レンズ群Ｇ３は、物体側から像側へと順に、両凸形状の第８レンズ素子Ｌ８と、像側に凸面を向けた負メニスカス形状の第９レンズ素子Ｌ９と、両凸形状の第１０レンズ素子Ｌ１０と、両凸形状の第１１レンズ素子Ｌ１１と、像側に凸面を向けた負メニスカス形状の第１２レンズ素子Ｌ１２とからなる。これらのうち、第８レンズ素子Ｌ８と、第９レンズ素子Ｌ９とが接合されており、第１１レンズ素子Ｌ１１と、第１２レンズ素子Ｌ１２とが接合されている。また、第８レンズ素子Ｌ８は、その物体側面が非球面である。
【００５８】
第４レンズ群Ｇ４は、物体側に凸面を向けた負メニスカス形状の第１３レンズ素子Ｌ１３のみからなる。
【００５９】
第５レンズ群Ｇ５は、物体側から像側へと順に、両凸形状の第１４レンズ素子Ｌ１４と、両凹形状の第１５レンズ素子Ｌ１５と、両凹形状の第１６レンズ素子Ｌ１６と、像側に凸面を向けた正メニスカス形状の第１７レンズ素子Ｌ１７とからなる。これらのうち、第１４レンズ素子Ｌ１４と、第１５レンズ素子Ｌ１５とが接合されている。
【００６０】
第６レンズ群Ｇ６は、両凸形状の第１８レンズ素子Ｌ１８のみからなる。
【００６１】
第７レンズ群Ｇ７は、両凹形状の第１９レンズ素子Ｌ１９のみからなる。
【００６２】
第８レンズ群Ｇ８は、物体側に凸面を向けた正メニスカス形状の第２０レンズ素子Ｌ２０のみからなる。
【００６３】
実施の形態４に係るズームレンズ系において、撮像時の広角端から望遠端へのズーミングの際に、第１レンズ群Ｇ１、第２レンズ群Ｇ２、第４レンズ群Ｇ４、第６レンズ群Ｇ６、第７レンズ群Ｇ７及び第８レンズ群Ｇ８は、単調に物体側へ移動し、第３レンズ群Ｇ３と第５レンズ群Ｇ５とは、一体となって単調に物体側へ移動する。
【００６４】
実施の形態４に係るズームレンズ系において、無限遠合焦状態から近接物体合焦状態へのフォーカシングの際に、第４レンズ群Ｇ４が光軸に沿って像側へ移動すると共に、第６レンズ群Ｇ６が光軸に沿って物体側へ移動する。
【００６５】
実施の形態４に係るズームレンズ系において、第２レンズ群Ｇ２の一部である、第４レンズ素子Ｌ４、第５レンズ素子Ｌ５及び第６レンズ素子Ｌ６が、像のぶれを光学的に補正するために光軸に対して垂直方向に移動する像ぶれ補正レンズ群である。
【００６６】
（実施の形態５）
図１３に示すように、実施の形態５に係るズームレンズ系は、物体側から像側へと順に、正のパワーを有する第１レンズ群Ｇ１、負のパワーを有する第２レンズ群Ｇ２、負のパワーを有する第３レンズ群Ｇ３、正のパワーを有する第４レンズ群Ｇ４、負のパワーを有する第５レンズ群Ｇ５、正のパワーを有する第６レンズ群Ｇ６、及び正のパワーを有する第７レンズ群Ｇ７からなる。
【００６７】
第１レンズ群Ｇ１は、物体側に凸面を向けた正メニスカス形状の第１レンズ素子Ｌ１のみからなる。
【００６８】
第２レンズ群Ｇ２は、物体側から像側へと順に、物体側に凸面を向けた負メニスカス形状の第２レンズ素子Ｌ２と、両凹形状の第３レンズ素子Ｌ３と、両凸形状の第４レンズ素子Ｌ４と、像側に凸面を向けた負メニスカス形状の第５レンズ素子Ｌ５とからなる。第３レンズ素子Ｌ３は、その両面が非球面である。
【００６９】
第３レンズ群Ｇ３は、像側に凸面を向けた負メニスカス形状の第６レンズ素子Ｌ６のみからなる。
【００７０】
第４レンズ群Ｇ４は、物体側から像側へと順に、両凸形状の第７レンズ素子Ｌ７と、像側に凸面を向けた負メニスカス形状の第８レンズ素子Ｌ８と、開口絞りＡと、両凹形状の第９レンズ素子Ｌ９と、両凸形状の第１０レンズ素子Ｌ１０と、両凹形状の第１１レンズ素子Ｌ１１と、両凸形状の第１２レンズ素子Ｌ１２とからなる。これらのうち、第７レンズ素子Ｌ７と、第８レンズ素子Ｌ８とが接合されており、第１０レンズ素子Ｌ１０と、第１１レンズ素子Ｌ１１とが接合されている。また、第９レンズ素子Ｌ９は、その両面が非球面であり、第１２レンズ素子Ｌ１２は、その両面が非球面である。
【００７１】
第５レンズ群Ｇ５は、物体側に凸面を向けた負メニスカス形状の第１３レンズ素子Ｌ１３のみからなる。
【００７２】
第６レンズ群Ｇ６は、物体側から像側へと順に、両凸形状の第１４レンズ素子Ｌ１４と、両凹形状の第１５レンズ素子Ｌ１５と、物体側に凸面を向けた正メニスカス形状の第１６レンズ素子Ｌ１６と、像側に凸面を向けた負メニスカス形状の第１７レンズ素子Ｌ１７とからなる。第１５レンズ素子Ｌ１５は、その両面が非球面である。
【００７３】
第７レンズ群Ｇ７は、両凸形状の第１８レンズ素子Ｌ１８のみからなる。
【００７４】
実施の形態５に係るズームレンズ系において、撮像時の広角端から望遠端へのズーミングの際に、第１レンズ群Ｇ１、第２レンズ群Ｇ２、第３レンズ群Ｇ３、第４レンズ群Ｇ４、第５レンズ群Ｇ５、第６レンズ群Ｇ６及び第７レンズ群Ｇ７は、単調に物体側へ移動する。
【００７５】
実施の形態５に係るズームレンズ系において、無限遠合焦状態から近接物体合焦状態へのフォーカシングの際に、第３レンズ群Ｇ３が光軸に沿って物体側へ移動すると共に、第５レンズ群Ｇ５が光軸に沿って像側へ移動する。
【００７６】
実施の形態５に係るズームレンズ系において、第４レンズ群Ｇ４の一部である第９レンズ素子Ｌ９が、像のぶれを光学的に補正するために光軸に対して垂直方向に移動する像ぶれ補正レンズ群である。
【００７７】
（実施の形態６）
図１６に示すように、実施の形態６に係るズームレンズ系は、物体側から像側へと順に、正のパワーを有する第１レンズ群Ｇ１、負のパワーを有する第２レンズ群Ｇ２、正のパワーを有する第３レンズ群Ｇ３、正のパワーを有する第４レンズ群Ｇ４、正のパワーを有する第５レンズ群Ｇ５、負のパワーを有する第６レンズ群Ｇ６、及び正のパワーを有する第７レンズ群Ｇ７からなる。
【００７８】
第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と、第２レンズ素子Ｌ２とが接合されている。
【００７９】
第２レンズ群Ｇ２は、物体側から像側へと順に、物体側に凸面を向けた負メニスカス形状の第４レンズ素子Ｌ４と、両凹形状の第５レンズ素子Ｌ５と、物体側に凸面を向けた正メニスカス形状の第６レンズ素子Ｌ６と、開口絞りＡとからなる。これらのうち、第５レンズ素子Ｌ５と、第６レンズ素子Ｌ６とが接合されている。
【００８０】
第３レンズ群Ｇ３は、物体側から像側へと順に、物体側に凸面を向けた負メニスカス形状の第７レンズ素子Ｌ７と、両凸形状の第８レンズ素子Ｌ８と、両凸形状の第９レンズ素子Ｌ９と、両凹形状の第１０レンズ素子Ｌ１０と、両凹形状の第１１レンズ素子Ｌ１１と、両凸形状の第１２レンズ素子Ｌ１２と、両凸形状の第１３レンズ素子Ｌ１３とからなる。これらのうち、第７レンズ素子Ｌ７と、第８レンズ素子Ｌ８とが接合されており、第９レンズ素子Ｌ９と、第１０レンズ素子Ｌ１０とが接合されている。
【００８１】
第４レンズ群Ｇ４は、物体側から像側へと順に、両凹形状の第１４レンズ素子Ｌ１４と、両凸形状の第１５レンズ素子Ｌ１５と、両凸形状の第１６レンズ素子Ｌ１６と、像側に凸面を向けた正メニスカス形状の第１７レンズ素子Ｌ１７と、両凹形状の第１８レンズ素子Ｌ１８とからなる。これらのうち、第１４レンズ素子Ｌ１４と、第１５レンズ素子Ｌ１５とが接合されており、第１７レンズ素子Ｌ１７と、第１８レンズ素子Ｌ１８とが接合されている。
【００８２】
第５レンズ群Ｇ５は、物体側に凸面を向けた正メニスカス形状の第１９レンズ素子Ｌ１９のみからなる。
【００８３】
第６レンズ群Ｇ６は、物体側から像側へと順に、像側に凸面を向けた正メニスカス形状の第２０レンズ素子Ｌ２０と、両凹形状の第２１レンズ素子Ｌ２１とからなる。
【００８４】
第７レンズ群Ｇ７は、両凸形状の第２２レンズ素子Ｌ２２のみからなる。
【００８５】
実施の形態６に係るズームレンズ系において、撮像時の広角端から望遠端へのズーミングの際に、第１レンズ群Ｇ１、第３レンズ群Ｇ３、第４レンズ群Ｇ４、第５レンズ群Ｇ５及び第６レンズ群Ｇ６は、単調に物体側へ移動し、第２レンズ群Ｇ２は、単調に像側へ移動し、第７レンズ群Ｇ７は、像面Ｓに対して固定されている。
【００８６】
実施の形態６に係るズームレンズ系において、無限遠合焦状態から近接物体合焦状態へのフォーカシングの際に、第５レンズ群Ｇ５が光軸に沿って物体側へ移動する。
【００８７】
実施の形態６に係るズームレンズ系において、第４レンズ群Ｇ４の一部である、第１７レンズ素子Ｌ１７及び第１８レンズ素子Ｌ１８が、像のぶれを光学的に補正するために光軸に対して垂直方向に移動する像ぶれ補正レンズ群である。
【００８８】
以下、例えば実施の形態１〜６に係るズームレンズ系のごときズームレンズ系が満足することが可能な条件を説明する。なお、各実施の形態に係るズームレンズ系に対して、複数の可能な条件が規定されるが、これら複数の条件すべてを満足するズームレンズ系の構成が最も効果的である。しかしながら、個別の条件を満足することにより、それぞれ対応する効果を奏するズームレンズ系を得ることも可能である。
【００８９】
例えば実施の形態１〜６に係るズームレンズ系のように、少なくとも１枚のレンズ素子で構成されたレンズ群を有し、物体側から像側へと順に、最物体側に配置された、正のパワーを有する第１レンズ群と、負のパワーを有する第２レンズ群と、後続する５つ又は６つのレンズ群とからなり、開口絞りを備え、撮像時の広角端から望遠端へのズーミングにおいて、隣り合うレンズ群同士の間隔が変化し、前記第１レンズ群は、前記ズーミングの際に光軸に沿って移動し、無限遠合焦状態から近接物体合焦状態へのフォーカシングの際に像面に対して固定である（以下、このレンズ構成を、実施の形態の基本構成という）ズームレンズ系は、以下の条件（１）、（２）及び（３）を満足する。
ＢＦ／ｆＷ＜０．６６  ・・・（１）
ＤＡ／ＬＷ＞０．４２  ・・・（２）
ＤＡＩＲ／Ｙ＜２．００  ・・・（３）
ここで、
ＢＦ：最像側に配置されたレンズ素子の像側面の面頂から像面までの距離、
ｆＷ：広角端における全系の焦点距離、
ＤＡ：全系における各レンズ群の光軸上での厚みの和、
ＬＷ：広角端におけるレンズ全長（広角端における、最物体側に配置されたレンズ素子の物体側面から像面までの光軸上の距離）、
ＤＡＩＲ：広角端におけるレンズ系を構成するレンズ素子間の空気間隔のうち最大値、
Ｙ：最大像高（Ｙ＝ｆＴ×ｔａｎ（ωＴ））、
ｆＴ：望遠端における全系の焦点距離、
ωＴ：望遠端における最大画角の半値（°）
である。
【００９０】
前記条件（１）は、バックフォーカスと広角端における全系の焦点距離との比を規定する条件である。条件（１）の上限を上回ると、バックフォーカスが長くなり、レンズ系の小型化が困難となる。
【００９１】
以下の条件（１）’を満足することにより、前記効果をさらに奏功させることができる。
ＢＦ／ｆＷ＜０．４５  ・・・（１）’
【００９２】
さらに以下の条件（１）’’を満足することにより、前記効果をより一層奏功させることができる。
ＢＦ／ｆＷ＜０．３０  ・・・（１）’’
【００９３】
前記条件（２）は、各レンズ群の光軸上での厚みの和と広角端におけるレンズ全長との比を規定する条件である。条件（２）の下限を下回ると、レンズ全長が長くなり、レンズ鏡筒の小型化が困難となる。
【００９４】
以下の条件（２）’を満足することにより、前記効果をさらに奏功させることができる。
ＤＡ／ＬＷ＞０．４５  ・・・（２）’
【００９５】
さらに以下の条件（２）’’を満足することにより、前記効果をより一層奏功させることができる。
ＤＡ／ＬＷ＞０．５０  ・・・（２）’’
【００９６】
前記条件（３）は、広角端におけるレンズ系を構成するレンズ素子間の最大空気間隔を規定する条件である。条件（３）の上限を上回ると、レンズ全長が長くなり、レンズ鏡筒の小型化が困難となる。
【００９７】
以下の条件（３）’を満足することにより、前記効果をさらに奏功させることができる。
ＤＡＩＲ／Ｙ＜１．６０  ・・・（３）’
【００９８】
さらに以下の条件（３）’’を満足することにより、前記効果をより一層奏功させることができる。
ＤＡＩＲ／Ｙ＜１．２０  ・・・（３）’’
【００９９】
例えば実施の形態１〜６に係るズームレンズ系のように、基本構成を有するズームレンズ系は、以下の条件（４）を満足することが有益である。
１．０＜ｆ１／ｆＷ＜６．０  ・・・（４）
ここで、
ｆ１：第１レンズ群の焦点距離、
ｆＷ：広角端における全系の焦点距離
である。
【０１００】
前記条件（４）は、第１レンズ群の焦点距離と広角端における全系の焦点距離との比を規定する条件である。条件（４）の下限を下回ると、第１レンズ群のパワーが強くなり、望遠端で発生する軸上色収差の補正が困難となる。条件（４）の上限を上回ると、広角端から望遠端へのズーミングにおける第１レンズ群の繰り出し量が増加するため、光学系が大型化してしまう。
【０１０１】
以下の条件（４−１）’及び（４−１）’’の少なくとも１つを満足することにより、前記効果をさらに奏功させることができる。
１．５＜ｆ１／ｆＷ  ・・・（４−１）’
ｆ１／ｆＷ＜４．５  ・・・（４−１）’’
【０１０２】
さらに以下の条件（４−２）’及び（４−２）’’の少なくとも１つを満足することにより、前記効果をより一層奏功させることができる。
１．９＜ｆ１／ｆＷ  ・・・（４−２）’
ｆ１／ｆＷ＜３．０  ・・・（４−２）’’
【０１０３】
例えば実施の形態１〜６に係るズームレンズ系のように、基本構成を有するズームレンズ系は、以下の条件（５）を満足することが有益である。
−０．６０＜ｆ２／ｆ１＜−０．２０  ・・・（５）
ここで、
ｆ１：第１レンズ群の焦点距離、
ｆ２：第２レンズ群の焦点距離
である。
【０１０４】
前記条件（５）は、第１レンズ群の焦点距離と第２レンズ群の焦点距離との比を規定する条件である。条件（５）の下限を下回ると、第１レンズ群のパワーが強くなり、望遠端で発生する軸上色収差の補正が困難となる。条件（５）の上限を上回ると、第２レンズ群のパワーが強くなり、像面湾曲の補正が困難となる。
【０１０５】
以下の条件（５−１）’及び（５−１）’’の少なくとも１つを満足することにより、前記効果をさらに奏功させることができる。
−０．５０＜ｆ２／ｆ１  ・・・（５−１）’
ｆ２／ｆ１＜−０．２５  ・・・（５−１）’’
【０１０６】
さらに以下の条件（５−２）’及び（５−２）’’の少なくとも１つを満足することにより、前記効果をより一層奏功させることができる。
−０．４５＜ｆ２／ｆ１  ・・・（５−２）’
ｆ２／ｆ１＜−０．３０  ・・・（５−２）’’
【０１０７】
例えば実施の形態１〜６に係るズームレンズ系のように、基本構成を有するズームレンズ系は、以下の条件（６）を満足することが有益である。
０．４０＜｜ｆ３／ｆ２｜＜１．５５  ・・・（６）
ここで、
ｆ２：第２レンズ群の焦点距離、
ｆ３：後続するレンズ群（以下、後続レンズ群ともいう）のうち最物体側に配置されたレンズ群の焦点距離
である。
【０１０８】
前記条件（６）は、後続レンズ群のうち最物体側に配置されたレンズ群、すなわち第３レンズ群の焦点距離と第２レンズ群の焦点距離との比を規定する条件である。条件（６）の下限を下回ると、第３レンズ群のパワーが強くなり、球面収差の補正が困難となる。条件（６）の上限を上回ると、第２レンズ群のパワーが強くなり、像面湾曲の補正が困難となる。
【０１０９】
以下の条件（６）’及び（６）’’の少なくとも１つを満足することにより、前記効果をさらに奏功させることができる。
０．５０＜｜ｆ３／ｆ２｜  ・・・（６）’
｜ｆ３／ｆ２｜＜１．５０  ・・・（６）’’
【０１１０】
例えば実施の形態１〜６に係るズームレンズ系のように、基本構成を有するズームレンズ系は、以下の条件（７）を満足することが有益である。
１．１＜ＬＴ／ＬＷ＜１．８  ・・・（７）
ここで、
ＬＷ：広角端におけるレンズ全長（広角端における、最物体側に配置されたレンズ素子の物体側面から像面までの光軸上の距離）、
ＬＴ：望遠端におけるレンズ全長（望遠端における、最物体側に配置されたレンズ素子の物体側面から像面までの光軸上の距離）
である。
【０１１１】
前記条件（７）は、広角端から望遠端へのズーミングの際の、第１レンズ群の移動量に関する条件である。条件（７）の下限を下回ると、広角端におけるレンズ全長が長くなり、レンズ系が大型化してしまう。条件（７）の上限を上回ると、第１レンズ群の移動量が大きくなり、レンズ鏡筒の小型化が困難となる。
【０１１２】
以下の条件（７）’及び（７）’’の少なくとも１つを満足することにより、前記効果をさらに奏功させることができる。
１．２＜ＬＴ／ＬＷ  ・・・（７）’
ＬＴ／ＬＷ＜１．６  ・・・（７）’’
【０１１３】
例えば実施の形態１〜６に係るズームレンズ系のように、基本構成を有するズームレンズ系において、第１レンズ群の中で最像側に配置されたレンズ素子は、以下の条件（８）を満足することが有益である。
６５．０＜νｄ１  ・・・（８）
ここで、
νｄ１：第１レンズ群の中で最像側に配置されたレンズ素子の、ｄ線に対するアッベ数
である。
【０１１４】
前記条件（８）は、第１レンズ群の中で最像側に配置されたレンズ素子のアッベ数を規定する条件である。条件（８）の下限を下回ると、望遠端で発生する軸上色収差の補正が困難となる。
【０１１５】
以下の条件（８）’を満足することにより、前記効果をさらに奏功させることができる。
６６．０＜νｄ１  ・・・（８）’
【０１１６】
本開示におけるズームレンズ系では、開口絞りが、第２レンズ群又は後続レンズ群に配置されており、該開口絞りよりも像側に配置されたレンズ群のうち少なくとも１つのレンズ群が、無限遠合焦状態から近接物体合焦状態へのフォーカシングの際に光軸に沿って移動するフォーカシングレンズ群であることが有益である。これにより、フォーカシングレンズ群の小径化及び軽量化が達成され、レンズ鏡筒の小型化が実現される。
【０１１７】
本開示におけるズームレンズ系では、開口絞りが、第２レンズ群又は後続レンズ群に配置されており、該開口絞りよりも像側に配置されたレンズ群のうち少なくとも１つのレンズ群が、撮像時の広角端から望遠端へのズーミングの際に光軸に沿って移動することが有益である。これにより、開口絞りよりも物体側に配置されたレンズ群のパワーを弱め、望遠端における軸上色収差を良好に補正することができる。
【０１１８】
本開示におけるズームレンズ系では、後続レンズ群のうち最像側に配置されたレンズ群が、撮像時の広角端から望遠端へのズーミングの際に光軸に沿って移動することが有益である。これにより、後続レンズ群のうち最像側に配置されたレンズ群の小径化が可能となる。
【０１１９】
本開示におけるズームレンズ系では、第２レンズ群の一部と後続レンズ群とから選ばれる２つが、無限遠合焦状態から近接物体合焦状態へのフォーカシングの際に光軸に沿って移動するフォーカシングレンズ群であることが有益である。これにより、フォーカシングにおける収差変動を小さくすることができる。
【０１２０】
本開示におけるズームレンズ系では、無限遠合焦状態から近接物体合焦状態へのフォーカシングの際に光軸に沿って移動するフォーカシングレンズ群が、１枚のレンズ素子で構成されることが有益である。これにより、フォーカシングレンズ群の軽量化が可能となる。
【０１２１】
本開示におけるズームレンズ系では、第１レンズ群が３枚以下のレンズ素子で構成されることが有益である。これにより、第１レンズ群の光軸上での厚みが増大することがなく、光学系の小型化が可能となる。
【０１２２】
本開示におけるズームレンズ系では、無限遠合焦状態から近接物体合焦状態へのフォーカシングの際に光軸に沿って移動するフォーカシングレンズ群が、少なくとも１枚の負のパワーを有するレンズ素子であることが有益である。これにより、フォーカシングレンズ群よりも物体側に配置されたレンズ素子の集光作用を高めることができ、フォーカシングレンズ群の小径化が可能となる。
【０１２３】
本開示におけるズームレンズ系では、像のぶれを光学的に補正するために光軸に対して垂直方向に移動する像ぶれ補正レンズ群が、第２レンズ群又は後続レンズ群に配置されており、負のパワーを有することが有益である。これにより、像ぶれ補正レンズ群よりも物体側に配置されたレンズ素子の集光作用を高めることができ、像ぶれ補正レンズ群の小径化が可能となる。
【０１２４】
本開示におけるズームレンズ系では、開口絞りが第２レンズ群に配置されており、撮像時の広角端から望遠端へのズーミングの際に、開口絞りが第２レンズ群と一体で光軸に沿って移動することが有益である。これにより、第２レンズ群の小径化が可能となる。
【０１２５】
実施の形態１〜６に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、有益である。
【０１２６】
以上のように、本出願において開示する技術の例示として、実施の形態１〜６を説明した。しかしながら、本開示における技術は、これに限定されず、適宜、変更、置き換え、付加、省略などを行った実施の形態にも適用可能である。
【０１２７】
（実施の形態７）
図１９は、実施の形態７に係るレンズ交換式デジタルカメラシステムの概略構成図である。
【０１２８】
本実施の形態７に係るレンズ交換式デジタルカメラシステム１００は、カメラ本体１０１と、カメラ本体１０１に着脱自在に接続される交換レンズ装置２０１とを備える。
【０１２９】
カメラ本体１０１は、交換レンズ装置２０１のズームレンズ系２０２によって形成される光学像を受光して、電気的な画像信号に変換する撮像素子１０２と、撮像素子１０２によって変換された画像信号を表示する液晶モニタ１０３と、カメラマウント部１０４とを含む。一方、交換レンズ装置２０１は、実施の形態１〜６いずれかに係るズームレンズ系２０２と、ズームレンズ系２０２を保持する鏡筒２０３と、カメラ本体１０１のカメラマウント部１０４に接続されるレンズマウント部２０４とを含む。カメラマウント部１０４及びレンズマウント部２０４は、物理的な接続のみならず、カメラ本体１０１内のコントローラ（図示せず）と交換レンズ装置２０１内のコントローラ（図示せず）とを電気的に接続し、相互の信号のやり取りを可能とするインターフェースとしても機能する。なお、図１９においては、ズームレンズ系２０２として実施の形態１に係るズームレンズ系を用いた場合を図示している。
【０１３０】
本実施の形態７では、実施の形態１〜６いずれかに係るズームレンズ系２０２を用いているので、コンパクトで結像性能に優れた交換レンズ装置を低コストで実現することができる。また、本実施の形態７に係るカメラシステム１００全体の小型化及び低コスト化も達成することができる。なお、これら実施の形態１〜６に係るズームレンズ系は、全てのズーミング域を使用する必要はない。すなわち、所望のズーミング域に応じて、光学性能が確保されている範囲を切り出し、以下の対応する数値実施例１〜６で説明するズームレンズ系よりも低倍率のズームレンズ系として使用してもよい。
【０１３１】
以上のように、本出願において開示する技術の例示として、実施の形態７を説明した。しかしながら、本開示における技術は、これに限定されず、適宜、変更、置き換え、付加、省略などを行った実施の形態にも適用可能である。
【０１３２】
以下、実施の形態１〜６に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2014129170.tif 000024
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【０１３３】
図２、５、８、１１、１４及び１７は、各々数値実施例１〜６に係るズームレンズ系の無限遠合焦状態の縦収差図である。
【０１３４】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１３５】
図３、６、９、１２、１５及び１８は、各々数値実施例１〜６に係るズームレンズ系の望遠端における横収差図である。
【０１３６】
各横収差図において、上段３つの収差図は、望遠端における像ぶれ補正を行っていない基本状態、下段３つの収差図は、像ぶれ補正レンズ群を光軸と垂直な方向に所定量移動させた望遠端における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と、第２レンズ群Ｇ２の光軸と、後続レンズ群ＧＲの光軸とを含む平面としている。
【０１３７】
なお、各数値実施例のズームレンズ系について、望遠端における、像ぶれ補正状態での像ぶれ補正レンズ群の光軸と垂直な方向への移動量は、以下に示すとおりである。
数値実施例１    ０．００８ｍｍ
数値実施例２    ０．００７ｍｍ
数値実施例３    ０．０１４ｍｍ
数値実施例４    ０．００７ｍｍ
数値実施例５    ０．０１５ｍｍ
数値実施例６    ０．０１４ｍｍ
【０１３８】
撮影距離が∞で望遠端において、ズームレンズ系が所定の角度だけ傾いた場合の像偏心量は、像ぶれ補正レンズ群が光軸と垂直な方向に上記の各値だけ平行移動するときの像偏心量に等しい。
【０１３９】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、所定の角度までの像ぶれ補正角に対して、結像特性を低下させることなく充分な像ぶれ補正を行うことが可能である。
【０１４０】
（数値実施例１）
数値実施例１のズームレンズ系は、図１に示した実施の形態１に対応する。数値実施例１のズームレンズ系の面データを表１に、各種データを表２に、ズームレンズ群データを表３に示す。
【０１４１】
表  １（面データ）
面番号         r           d           nd         vd                
物面             ∞                                               
1          1.84040     0.02510     1.85026    32.3               
2          1.15550     0.05530     1.49700    81.6               
3          4.93880     0.00140                                   
4          0.83690     0.07290     1.49700    81.6               
5          4.07350        可変                                   
6          1.60820     0.01670     1.62041    60.3               
7          0.55490     0.04650                                   
8         -0.85340     0.01670     1.62041    60.3               
9          1.07880     0.02760     1.92286    20.9               
10          5.77490     0.02380                                   
11(絞り)           ∞        可変                                   
12          1.17250     0.04180     1.80420    46.5               
13         -1.51630     0.00140                                   
14          0.41340     0.08130     1.51680    64.2               
15         -0.68200     0.01670     2.00100    29.1               
16          3.32530        可変                                   
17          1.46630     0.01530     1.48749    70.4               
18          0.47920        可変                                   
19        -51.41050     0.06620     1.92286    20.9               
20         -0.30720     0.01530     1.76182    26.6               
21          0.63490     0.01880                                   
22          2.83440     0.01390     1.92286    20.9               
23          0.57380     0.06180     1.74400    44.8               
24         -1.32710        可変                                   
25          0.75750     0.07490     1.59349    67.0               
26         -1.10960        可変                                   
27         -1.32300     0.01810     1.81600    46.7               
28          0.45580     0.05680     1.84666    23.8               
29          1.10530        (BF)                                   
像面             ∞                                               
【０１４２】
表  ２（各種データ）
ズーム比     2.71628
広角      中間      望遠
焦点距離       1.0006    1.6494    2.7179
Ｆナンバー     4.18720   4.16482   4.18341
画角        16.7820   10.2455    6.2157
像高         0.3020    0.3020    0.3020
レンズ全長      1.6742    2.2820    2.6501
ＢＦ        0.18475   0.49311   0.61721
d5           0.0164    0.4616    0.7732
d11          0.0716    0.1190    0.0209
d16          0.0576    0.0139    0.0139
d18          0.0980    0.0958    0.1373
d24          0.0405    0.1252    0.2984
d26          0.4370    0.2051    0.0209
【０１４３】
表  ３（ズームレンズ群データ）
群    始面      焦点距離  レンズ構成長
1       1       1.89141     0.15470
2       6      -0.73896     0.13130
3      12       0.63318     0.14120
4      17      -1.46766     0.01530
5      19     -10.53512     0.17600
6      25       0.77002     0.07490
7      27      -0.75033     0.07490
【０１４４】
（数値実施例２）
数値実施例２のズームレンズ系は、図４に示した実施の形態２に対応する。数値実施例２のズームレンズ系の面データを表４に、非球面データを表５に、各種データを表６に、ズームレンズ群データを表７に示す。
【０１４５】
表  ４（面データ）
面番号         r           d           nd         vd                
物面             ∞                                               
1          1.93580     0.03350     1.90366    31.3               
2          1.29160     0.10590     1.49700    81.6               
3         23.21580     0.00140                                   
4          1.44500     0.09650     1.49700    81.6               
5         50.84050        可変                                   
6        -59.08650     0.01670     1.63854    55.4               
7          0.64470     0.06890                                   
8         -0.68080     0.01670     1.63854    55.4               
9          0.82450     0.04160     1.92286    20.9               
10          4.34930     0.02680                                   
11(絞り)           ∞     0.02090                                   
12          0.91050     0.02910     1.92286    20.9               
13          1.63050        可変                                   
14*         3.85660     0.05240     1.80139    45.4               
15         -0.89700     0.01670     1.92286    20.9               
16         -2.86650     0.00420                                   
17          0.89110     0.09320     1.59282    68.6               
18         -0.83080     0.00440                                   
19          1.02930     0.08500     1.49700    81.6               
20         -0.67310     0.01670     1.92286    20.9               
21         -2.07180        可変                                   
22          7.13980     0.01530     1.62041    60.3               
23          0.52020        可変                                   
24         10.43920     0.07460     1.92286    20.9               
25         -0.43570     0.01530     1.72825    28.3               
26          0.82870     0.03490                                   
27         -2.59710     0.01390     1.90366    31.3               
28          1.78410     0.03520                                   
29         -1.02610     0.02930     2.00100    29.1               
30         -0.65350        可変                                   
31          0.88700     0.09060     1.59349    67.0               
32         -0.69580        可変                                   
33         -0.65920     0.01810     1.83481    42.7               
34          1.28770        可変                                   
35          0.78490     0.08720     1.76200    40.1               
36         13.83380        (BF)                                   
像面             ∞                                               
【０１４６】
表  ５（非球面データ）
第14面
K= 0.00000E+00, A4=-1.32554E+00, A6= 1.31306E+00, A8=-7.00923E+01 
A10= 8.82313E+02, A12=-4.58927E+03 
【０１４７】
表  ６（各種データ）
ズーム比     2.71485
広角      中間      望遠
焦点距離       1.0005    1.6484    2.7162
Ｆナンバー     2.92639   2.91752   2.91484
画角        16.9840   10.3040    6.2342
像高         0.3020    0.3020    0.3020
レンズ全長      2.0918    2.5931    3.1381
ＢＦ        0.26221   0.45817   0.46911
d5           0.0164    0.5176    1.0623
d13          0.1379    0.0567    0.0284
d21          0.1301    0.1044    0.0139
d23          0.0651    0.0862    0.1540
d30          0.0938    0.0282    0.0688
d32          0.2219    0.0981    0.0209
d34          0.0194    0.0987    0.1757
【０１４８】
表  ７（ズームレンズ群データ）
群    始面      焦点距離  レンズ構成長
1       1       2.16659     0.23730
2       6      -0.75231     0.22070
3      14       0.49859     0.27260
4      22      -0.90517     0.01530
5      24      -1.77355     0.20320
6      31       0.67131     0.09060
7      33      -0.52008     0.01810
8      35       1.08886     0.08720
【０１４９】
（数値実施例３）
数値実施例３のズームレンズ系は、図７に示した実施の形態３に対応する。数値実施例３のズームレンズ系の面データを表８に、各種データを表９に、ズームレンズ群データを表１０に示す。
【０１５０】
表  ８（面データ）
面番号         r           d           nd         vd                
物面             ∞                                               
1          2.39670     0.03350     1.69895    30.0               
2          1.33760     0.11900     1.49700    81.6               
3        -15.34530     0.00140                                   
4          1.19020     0.07290     1.49700    81.6               
5          2.56850        可変                                   
6          0.68160     0.01950     1.48749    70.4               
7          0.36540     0.10280                                   
8         -0.97890     0.01950     1.51742    52.1               
9          0.40910     0.10460     2.00100    29.1               
10         -3.14310     0.02090                                   
11(絞り)           ∞     0.11320                                   
12         -0.56210     0.01670     1.80000    29.8               
13          2.11600        可変                                   
14         12.30670     0.01950     2.00069    25.5               
15          0.63090     0.08590     1.59282    68.6               
16         -0.70000     0.00140                                   
17          1.00470     0.05120     1.80420    46.5               
18         -2.11860        可変                                   
19         -1.05340     0.02630     2.00100    29.1               
20         -0.68300     0.00140                                   
21          4.30190     0.05290     1.49700    81.6               
22         -0.69500     0.01950     1.80518    25.5               
23        -11.12490        可変                                   
24         -8.74590     0.06250     1.92286    20.9               
25         -0.55180     0.01670     1.90366    31.3               
26          0.80860        可変                                   
27          1.02640     0.06940     2.00100    29.1               
28         -3.04450        可変                                   
29         -2.10480     0.01950     1.69895    30.0               
30          1.29890        可変                                   
31          1.54060     0.04410     1.95375    32.3               
32         10.10170        (BF)                                   
像面             ∞                                               
【０１５１】
表  ９（各種データ）
ズーム比     2.71539
広角      中間      望遠
焦点距離       0.9996    1.6473    2.7144
Ｆナンバー     2.92046   2.91520   2.92092
画角        17.2278   10.3496    6.2250
像高         0.3020    0.3020    0.3020
レンズ全長      2.2311    2.7813    3.2761
ＢＦ        0.15745   0.42372   0.15694
d5           0.0209    0.5856    1.1007
d13          0.1810    0.0804    0.0209
d18          0.1689    0.0697    0.0300
d23          0.1553    0.1276    0.0218
d26          0.1131    0.1701    0.3323
d28          0.3153    0.0611    0.0209
d30          0.0249    0.1688    0.4983
【０１５２】
表  １０（ズームレンズ群データ）
群    始面      焦点距離  レンズ構成長
1       1       2.50584     0.22680
2       6      -0.72771     0.39720
3      14       0.66239     0.15800
4      19       3.52755     0.10010
5      24      -0.83844     0.07920
6      27       0.77344     0.06940
7      29      -1.14648     0.01950
8      31       1.90121     0.04410
【０１５３】
（数値実施例４）
数値実施例４のズームレンズ系は、図１０に示した実施の形態４に対応する。数値実施例４のズームレンズ系の面データを表１１に、非球面データを表１２に、各種データを表１３に、ズームレンズ群データを表１４に示す。
【０１５４】
表  １１（面データ）
面番号         r           d           nd         vd                
物面             ∞                                               
1          1.87530     0.03350     1.90366    31.3               
2          1.26990     0.10120     1.49700    81.6               
3         17.96860     0.00140                                   
4          1.42590     0.09720     1.49700    81.6               
5         43.60450        可変                                   
6         80.10370     0.01670     1.63854    55.4               
7          0.68640     0.06550                                   
8         -0.71550     0.01670     1.63854    55.4               
9          0.75390     0.04050     1.92286    20.9               
10          2.61960     0.03060                                   
11(絞り)           ∞     0.02090                                   
12          1.02290     0.02950     1.92286    20.9               
13          2.28880        可変                                   
14*         3.81910     0.04800     1.80139    45.4               
15         -0.98620     0.01670     1.92286    20.9               
16         -4.47670     0.00280                                   
17          0.88400     0.09070     1.59282    68.6               
18         -0.81540     0.00140                                   
19          1.04930     0.08030     1.49700    81.6               
20         -0.68970     0.01670     1.92286    20.9               
21         -1.97720        可変                                   
22          8.19550     0.01530     1.62041    60.3               
23          0.51590        可変                                   
24          6.72020     0.07530     1.92286    20.9               
25         -0.45450     0.01530     1.72825    28.3               
26          0.82690     0.03180                                   
27         -4.88730     0.01390     1.90366    31.3               
28          1.39010     0.04400                                   
29         -1.00640     0.02750     2.00100    29.1               
30         -0.67770        可変                                   
31          0.83690     0.08810     1.59349    67.0               
32         -0.72300        可変                                   
33         -0.65640     0.01810     1.83481    42.7               
34          1.11340        可変                                   
35          0.73840     0.09620     1.76200    40.1               
36         79.27130        (BF)                                   
像面             ∞                                               
【０１５５】
表  １２（非球面データ）
第14面
K= 0.00000E+00, A4=-1.30591E+00, A6= 1.29373E+00, A8=-6.99700E+01 
A10= 8.53665E+02, A12=-4.21043E+03 
【０１５６】
表  １３（各種データ）
ズーム比     2.71550
広角      中間      望遠
焦点距離       1.0000    1.6481    2.7156
Ｆナンバー     2.91377   2.91433   2.92488
画角        16.7398   10.2780    6.2222
像高         0.3020    0.3020    0.3020
レンズ全長      2.0220    2.5412    3.0681
ＢＦ        0.19367   0.39907   0.41590
d5           0.0160    0.5170    1.0418
d13          0.1233    0.0533    0.0229
d21          0.1598    0.1161    0.0139
d23          0.0649    0.1085    0.2107
d30          0.0638    0.0333    0.0564
d32          0.2508    0.1197    0.0400
d34          0.0139    0.0584    0.1307
【０１５７】
表  １４（ズームレンズ群データ）
群    始面      焦点距離  レンズ構成長
1       1       2.13640     0.23330
2       6      -0.79636     0.22040
3      14       0.51206     0.25660
4      22      -0.88809     0.01530
5      24      -1.68779     0.20780
6      31       0.66762     0.08810
7      33      -0.49237     0.01810
8      35       0.97762     0.09620
【０１５８】
（数値実施例５）
数値実施例５のズームレンズ系は、図１３に示した実施の形態５に対応する。数値実施例５のズームレンズ系の面データを表１５に、非球面データを表１６に、各種データを表１７に、ズームレンズ群データを表１８に示す。
【０１５９】
表  １５（面データ）
面番号         r           d           nd         vd                
物面             ∞                                               
1          2.08010     0.29530     1.59349    67.0               
2         10.38890        可変                                   
3          3.02610     0.05660     2.00069    25.5               
4          0.78610     0.33790                                   
5*        -2.80650     0.04450     1.61881    63.9               
6*         2.11510     0.00430                                   
7          1.52320     0.16950     1.92049    20.4               
8         -3.44070     0.03350                                   
9         -1.89360     0.03010     1.93985    31.6               
10         -2.43920        可変                                   
11         -1.08360     0.03640     1.71300    53.9               
12         -4.95280        可変                                   
13          1.24260     0.19590     1.95375    32.3               
14         -5.24890     0.02830     1.91285    18.6               
15         -5.77800     0.04050                                   
16(絞り)           ∞     0.08320                                   
17*        -5.77460     0.02830     1.77250    49.5               
18*         3.62930     0.04050                                   
19          0.86250     0.27560     1.61800    63.4               
20         -1.31230     0.02830     1.93194    23.1               
21          1.12040     0.02820                                   
22*         1.12950     0.11290     1.85135    40.1               
23*      -139.70570        可変                                   
24          5.47530     0.02830     1.80518    25.5               
25          1.53880        可変                                   
26          0.95210     0.34050     1.59282    68.6               
27         -1.40710     0.02080                                   
28*       -16.27190     0.02930     1.76801    49.2               
29*         1.52520     0.07240                                   
30          3.72460     0.05730     1.70656    25.4               
31          7.11800     0.19660                                   
32         -0.77810     0.02830     1.62217    62.7               
33        -21.44740        可変                                   
34          5.15790     0.16480     1.94595    18.0               
35         -3.36610        (BF)                                   
像面             ∞                                               
【０１６０】
表  １６（非球面データ）
第5面
K= 0.00000E+00, A4= 1.99113E-02, A6= 3.67766E-02, A8= 1.45427E-01 
A10=-2.90987E-01 
第6面
K= 0.00000E+00, A4=-7.04614E-02, A6=-4.00806E-03, A8=-7.44474E-02 
A10=-3.28602E-01 
第17面
K= 0.00000E+00, A4= 2.20636E-02, A6=-1.98617E-02, A8= 9.51305E-02 
A10=-5.27705E-01 
第18面
K= 0.00000E+00, A4=-1.99548E-02, A6= 5.35999E-02, A8=-2.02944E-01 
A10=-2.72783E-01 
第22面
K= 0.00000E+00, A4=-3.89066E-01, A6=-9.49243E-02, A8=-8.66886E-01 
A10= 1.87708E+00 
第23面
K= 0.00000E+00, A4= 5.93174E-02, A6=-2.15146E-01, A8= 2.50322E-01 
A10=-1.04512E-03 
第28面
K= 0.00000E+00, A4=-2.09188E-01, A6=-2.15261E-01, A8= 5.66262E-02 
A10=-3.91742E+00 
第29面
K= 0.00000E+00, A4= 1.89495E-01, A6= 2.03738E-02, A8= 2.29840E+00 
A10=-8.10091E+00 
【０１６１】
表  １７（各種データ）
ズーム比     2.74588
広角      中間      望遠
焦点距離       0.9999    1.6569    2.7455
Ｆナンバー     2.92252   2.92090   2.92378
画角        41.4050   26.2253   16.1714
像高         0.8090    0.8090    0.8090
レンズ全長      4.4370    4.7915    5.8229
ＢＦ         0.4842    0.8977    1.1555
d2           0.0202    0.3185    1.0025
d10          0.2496    0.2528    0.2950
d12          0.5669    0.2340    0.0663
d23          0.0417    0.0861    0.0599
d25          0.2467    0.0871    0.0557
d33          0.0202    0.1064    0.3791
【０１６２】
表  １８（ズームレンズ群データ）
群   始面    焦点距離  レンズ構成長
1      1     4.32503     0.29530
2      3    -1.75466     0.67640
3     11    -1.95305     0.03640
4     13     0.99667     0.86170
5     24    -2.66674     0.02830
6     26     9.79946     0.74520
7     34     2.17366     0.16480
【０１６３】
（数値実施例６）
数値実施例６のズームレンズ系は、図１６に示した実施の形態６に対応する。数値実施例６のズームレンズ系の面データを表１９に、各種データを表２０に、ズームレンズ群データを表２１に示す。
【０１６４】
表  １９（面データ）
面番号         r           d           nd         vd       
物面             ∞                                      
1          1.88670     0.02770     1.90366    31.3      
2          1.47620     0.11830     1.49700    81.6      
3        -24.47620     0.00280                          
4          1.88940     0.06900     1.49700    81.6      
5          5.94170        可変                          
6          1.30460     0.01120     1.59669    65.5      
7          0.50010     0.08610                          
8         -0.72310     0.01160     1.64013    32.6      
9          0.62800     0.05760     1.94595    18.0      
10          2.65740     0.04160                          
11(絞り)           ∞        可変                          
12          1.38340     0.01110     1.98339    24.5      
13          0.50340     0.11000     1.82918    35.6      
14         -1.25640     0.00550                          
15          0.47400     0.10440     1.78164    26.2      
16         -1.47790     0.04250     1.81011    24.2      
17          0.42220     0.09800                          
18         -0.42850     0.01110     1.84566    23.8      
19         66.88480     0.01340                          
20          1.65520     0.04120     1.76565    22.3      
21        -11.25210     0.00480                          
22         31.51010     0.06300     1.85345    22.6      
23         -0.72320        可変                          
24        -21.87790     0.01390     1.97287    22.3      
25          0.58150     0.11220     1.49700    81.6      
26         -0.63630     0.00280                          
27          1.11030     0.05390     1.90069    32.3      
28         -4.63640     0.02260                          
29         -3.84910     0.04000     1.94595    18.0      
30         -1.24500     0.01110     1.72342    38.0      
31          0.85260        可変                          
32          0.61970     0.06380     1.71300    53.9      
33          4.84270        可変                          
34         -2.00340     0.04020     1.77051    24.8      
35         -1.01710     0.00300                          
36         -1.80660     0.01190     1.82597    35.7      
37          0.61790        可変                          
38          1.13780     0.07670     1.75862    25.0      
39         -6.27170        (BF)                          
像面             ∞                                      
【０１６５】
表  ２０（各種データ）
ズーム比     2.69929
広角      中間      望遠
焦点距離       1.0001    1.6436    2.6997
Ｆナンバー     2.90615   2.90711   2.91261
画角        16.8803   10.1861    6.2045
像高         0.3000    0.3000    0.3000
レンズ全長      2.6889    3.1802    3.6839
ＢＦ        0.60442   0.60442   0.60442
d5           0.0137    0.6274    1.1342
d11          0.2232    0.0764    0.0138
d23          0.1685    0.0908    0.0137
d31          0.0549    0.0728    0.2065
d33          0.2038    0.1921    0.0434
d37          0.0371    0.1326    0.2842
入射瞳位置      0.3442    1.4240    3.2362
射出瞳位置     -2.3587   -1.9023   -2.9697
前側主点位置    1.0068    1.9901    3.8969
後側主点位置    1.6888    1.5366    0.9842
【０１６６】
表  ２１（ズームレンズ群データ）
群   始面    焦点距離  レンズ構成長
1      1     2.48620     0.21780
2      6    -0.64857     0.20810
3     12     0.98834     0.50520
4     24     8.39219     0.25660
5     32     0.99046     0.06380
6     34    -0.69995     0.05510
7     38     1.27522     0.07670
【０１６７】
以下の表２２に、各数値実施例のズームレンズ系における各条件の対応値を示す。
【０１６８】
表  ２２（条件の対応値）
【表１】
2014129170.tif 000025
【０１６９】
以上のように、本開示における技術の例示として、実施の形態を説明した。そのために、添付図面および詳細な説明を提供した。
【０１７０】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１７１】
また、上述の実施の形態は、本開示における技術を例示するためのものであるから、特許請求の範囲またはその均等の範囲において種々の変更、置き換え、付加、省略などを行うことができる。
【産業上の利用可能性】
【０１７２】
本開示は、デジタルスチルカメラ、デジタルビデオカメラ、スマートフォン等の携帯情報端末のカメラ、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラ等に適用可能である。特に本開示は、デジタルスチルカメラシステム、デジタルビデオカメラシステムといった高画質が要求される撮影光学系に適用可能である。
【０１７３】
また本開示は、本開示における交換レンズ装置の中でも、デジタルビデオカメラシステムに備えられる、ズームレンズ系をモータにより駆動する電動ズーム機能を搭載した交換レンズ装置に適用可能である。
【符号の説明】
【０１７４】
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
Ｇ７    第７レンズ群
Ｇ８    第８レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ｌ１３  第１３レンズ素子
Ｌ１４  第１４レンズ素子
Ｌ１５  第１５レンズ素子
Ｌ１６  第１６レンズ素子
Ｌ１７  第１７レンズ素子
Ｌ１８  第１８レンズ素子
Ｌ１９  第１９レンズ素子
Ｌ２０  第２０レンズ素子
Ｌ２１  第２１レンズ素子
Ｌ２２  第２２レンズ素子
Ａ      開口絞り
Ｓ      像面
１００  レンズ交換式デジタルカメラシステム
１０１  カメラ本体
１０２  撮像素子
１０３  液晶モニタ
１０４  カメラマウント部
２０１  交換レンズ装置
２０２  ズームレンズ系
２０３  鏡筒
２０４  レンズマウント部
【手続補正２】
【補正対象書類名】特許請求の範囲
【補正対象項目名】全文
【補正方法】変更
【補正の内容】
【特許請求の範囲】
【請求項１】
少なくとも１枚のレンズ素子で構成されたレンズ群を有するズームレンズ系であって、
物体側から像側へと順に、
最物体側に配置された、正のパワーを有する第１レンズ群と、
負のパワーを有する第２レンズ群と、
後続する５つ又は６つのレンズ群とからなり、
開口絞りを備え、
撮像時の広角端から望遠端へのズーミングにおいて、隣り合うレンズ群同士の間隔が変化し、
前記第１レンズ群は、前記ズーミングの際に光軸に沿って移動し、無限遠合焦状態から近接物体合焦状態へのフォーカシングの際に像面に対して固定であり、
以下の条件（１）、（２）及び（３）を満足する、ズームレンズ系：
ＢＦ／ｆＷ＜０．６６  ・・・（１）
ＤＡ／ＬＷ＞０．４２  ・・・（２）
ＤＡＩＲ／Ｙ＜２．００  ・・・（３）
ここで、
ＢＦ：最像側に配置されたレンズ素子の像側面の面頂から像面までの距離、
ｆＷ：広角端における全系の焦点距離、
ＤＡ：全系における各レンズ群の光軸上での厚みの和、
ＬＷ：広角端におけるレンズ全長（広角端における、最物体側に配置されたレンズ素子の物体側面から像面までの光軸上の距離）、
ＤＡＩＲ：広角端におけるレンズ系を構成するレンズ素子間の空気間隔のうち最大値、
Ｙ：最大像高（Ｙ＝ｆＴ×ｔａｎ（ωＴ））、
ｆＴ：望遠端における全系の焦点距離、
ωＴ：望遠端における最大画角の半値（°）
である。
【請求項２】
以下の条件（４）を満足する、請求項１に記載のズームレンズ系：
１．０＜ｆ１／ｆＷ＜６．０  ・・・（４）
ここで、
ｆ１：第１レンズ群の焦点距離、
ｆＷ：広角端における全系の焦点距離
である。
【請求項３】
以下の条件（５）を満足する、請求項１に記載のズームレンズ系：
−０．６０＜ｆ２／ｆ１＜−０．２０  ・・・（５）
ここで、
ｆ１：第１レンズ群の焦点距離、
ｆ２：第２レンズ群の焦点距離
である。
【請求項４】
以下の条件（６）を満足する、請求項１に記載のズームレンズ系：
０．４０＜｜ｆ３／ｆ２｜＜１．５５  ・・・（６）
ここで、
ｆ２：第２レンズ群の焦点距離、
ｆ３：後続するレンズ群のうち最物体側に配置されたレンズ群の焦点距離
である。
【請求項５】
以下の条件（７）を満足する、請求項１に記載のズームレンズ系：
１．１＜ＬＴ／ＬＷ＜１．８  ・・・（７）
ここで、
ＬＷ：広角端におけるレンズ全長（広角端における、最物体側に配置されたレンズ素子の物体側面から像面までの光軸上の距離）、
ＬＴ：望遠端におけるレンズ全長（望遠端における、最物体側に配置されたレンズ素子の物体側面から像面までの光軸上の距離）
である。
【請求項６】
第１レンズ群の中で最像側に配置されたレンズ素子は、以下の条件（８）を満足する、請求項１に記載のズームレンズ系：
６５．０＜νｄ１  ・・・（８）
ここで、
νｄ１：第１レンズ群の中で最像側に配置されたレンズ素子の、ｄ線に対するアッベ数
である。
【請求項７】
開口絞りは、第２レンズ群又は後続するレンズ群に配置されており、
前記開口絞りよりも像側に配置されたレンズ群のうち少なくとも１つのレンズ群は、無限遠合焦状態から近接物体合焦状態へのフォーカシングの際に光軸に沿って移動するフォーカシングレンズ群である、請求項１に記載のズームレンズ系。
【請求項８】
開口絞りは、第２レンズ群又は後続するレンズ群に配置されており、
前記開口絞りよりも像側に配置されたレンズ群のうち少なくとも１つのレンズ群は、撮像時の広角端から望遠端へのズーミングの際に光軸に沿って移動する、請求項１に記載のズームレンズ系。
【請求項９】
後続するレンズ群のうち最像側に配置されたレンズ群は、撮像時の広角端から望遠端へのズーミングの際に光軸に沿って移動する、請求項１に記載のズームレンズ系。
【請求項１０】
第２レンズ群の一部と後続するレンズ群とから選ばれる２つは、無限遠合焦状態から近接物体合焦状態へのフォーカシングの際に光軸に沿って移動するフォーカシングレンズ群である、請求項１に記載のズームレンズ系。
【請求項１１】
無限遠合焦状態から近接物体合焦状態へのフォーカシングの際に光軸に沿って移動するフォーカシングレンズ群は、１枚のレンズ素子で構成される、請求項１に記載のズームレンズ系。
【請求項１２】
第１レンズ群は、３枚以下のレンズ素子で構成される、請求項１に記載のズームレンズ系。
【請求項１３】
像のぶれを光学的に補正するために光軸に対して垂直方向に移動する像ぶれ補正レンズ群は、第２レンズ群又は後続するレンズ群に配置されており、負のパワーを有する、請求項１に記載のズームレンズ系。
【請求項１４】
開口絞りは、第２レンズ群に配置されている、請求項１に記載のズームレンズ系。
【請求項１５】
請求項１に記載のズームレンズ系と、
前記ズームレンズ系が形成する光学像を受光して電気的な画像信号に変換する撮像素子を含むカメラ本体との接続が可能なレンズマウント部と
を備える、交換レンズ装置。
【請求項１６】
請求項１に記載のズームレンズ系を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体と
を備える、カメラシステム。
【手続補正３】
【補正対象書類名】図面
【補正対象項目名】全図
【補正方法】変更
【補正の内容】
【図１】
2014129170.tif 000026
【図２】
2014129170.tif 000027
【図３】
2014129170.tif 000028
【図４】
2014129170.tif 000029
【図５】
2014129170.tif 000030
【図６】
2014129170.tif 000031
【図７】
2014129170.tif 000032
【図８】
2014129170.tif 000033
【図９】
2014129170.tif 000034
【図１０】
2014129170.tif 000035
【図１１】
2014129170.tif 000036
【図１２】
2014129170.tif 000037
【図１３】
2014129170.tif 000038
【図１４】
2014129170.tif 000039
【図１５】
2014129170.tif 000040
【図１６】
2014129170.tif 000041
【図１７】
2014129170.tif 000042
【図１８】
2014129170.tif 000043
【図１９】
2014129170.tif 000044
【国際調査報告】
2014129170.tif 000045
2014129170.tif 000046
2014129170.tif 000047
2014129170.tif 000048